(57)【要約】【課題】香料コミュニティが多くの状況／用途で望ましいレベルの特徴を運ぶことができるような、広範囲の悪臭制御技術が必要である。【解決手段】本発明は、清浄組成物、および悪臭低減組成物を含み、粘度が約１ｍＰａ・ｓ〜約５０，０００ｍＰａ・ｓの組成物を含む、清浄組成物を含むデバイス、およびこのような組成物の製造方法および使用方法に関する。開示される悪臭低減組成物は、清浄組成物の香りを過度に妨害せず、これらの技術を含むデバイス、およびこのような清浄組成物およびデバイスで処理された芳香を放つ場所または芳香を放たない場所の香りを過度に妨害しない。【選択図】なし【特許請求の範囲】
【請求項１】
空気または布地清浄組成物であって、粘度が、約１ｍＰａ・ｓ〜約５０，０００ｍＰａ・ｓであり、前記清浄組成物が、清浄組成物全体の重量を基準として、
（ａ）総量の０．０００１％〜０．０７％の１〜２０種類の悪臭低減材料であって、１，１，２，３，３−ペンタメチル−１，２，３，５，６，７−ヘキサヒドロ−４Ｈ−インデン−４−オン；３ａ，４，５，６，７，７ａ−ヘキサヒドロ−１Ｈ−４，７−メタノインデン−６−イルアセテート；１−（（２−（ｔｅｒｔ−ブチル）シクロヘキシル）オキシ）ブタン−２−オール；２−（８−イソプロピル−６−メチルビシクロ［２．２．２］オクタ−５−エン−２−イル）−１，３−ジオキソラン；（Ｅ）−オキサシクロヘキサデカ−１３−エン−２−オン；（Ｚ）−シクロオクタ−４−エン−１−イルメチルカーボネート；７−メチルオクチルアセテート；ドデカン酸エチル；４，５−エポキシ−４，１１，１１−トリメチル−８−メチレンビシクロ（７．２．０）ウンデカン；１，３，４，６，７，８α−ヘキサヒドロ−１，１，５，５−テトラメチル−２Ｈ−２，４α−メタノフタレン−８（５Ｈ）−オン；８，８−ジメチル−３ａ，４，５，６，７，７ａ−ヘキサヒドロ−１Ｈ−４，７−メタノインデン−６−イルプロピオネート；（Ｚ）−ノナ−６−エン−１−オール；（Ｅ）−デカ−４−エナール；（１−メチル−２−（（１，２，２−トリメチルビシクロ［３．１．０］ヘキサン−３−イル）メチル）シクロプロピル）メタノール；２，６−ジ−ｔｅｒｔ−ブチル−４−メチルフェノール；（Ｅ）−３，７−ジメチルオクタ−２，６−ジエン−１−イルパルミテート；３−メチル−５−フェニルペンタン−１−オール；３−（３，３−ジメチル−２，３−ジヒドロ−１Ｈ−インデン−５−イル）プロパナール；２，２，６，６，７，８，８−ヘプタメチルデカヒドロ−２Ｈ−インデノ［４，５−ｂ］フラン；（Ｒ，Ｚ）−１−（２，６，６−トリメチルシクロヘキサ−２−エン−１−イル）ペンタ−１−エン−３−オン；（Ｅ）−３，７−ジメチルオクタ−１，３，６−トリエン；１−（５，５−ジメチルシクロヘキサ−１−エン−１−イル）ペンタ−４−エン−１−オン；（Ｅ）−シクロヘキサデカ−５−エン−１−オン；２−イソプロピル−５−メチルフェノール；およびこれらの混合物からなる群から選択される悪臭低減材料と、
（ｂ）０．０１％〜３％の可溶化剤と、
（ｃ）１つ以上の香料原材料であって、前記清浄組成物が、１：２０，０００〜３０００：１の前記悪臭低減材料の部分対香料の部分の重量比率を有する香料原材料と、
（ｄ）９０％〜９９．５％の水
を含む、空気または布地清浄組成物。
【請求項２】
前記総量の悪臭低減材料は、Ｂｌｏｃｋｅｒ  Ｉｎｄｅｘが３未満であり、および／またはＢｌｏｃｋｅｒ  Ｉｎｄｅｘの平均が３〜０．００１である、請求項１に記載の清浄組成物。
【請求項３】
前記悪臭低減材料は、それぞれ、ＭＯＲＶが少なくとも０．５である、請求項１に記載の清浄組成物。
【請求項４】
前記悪臭低減材料は、それぞれ、ＭＯＲＶが少なくとも０．５である、請求項２に記載の清浄組成物。
【請求項５】
前記総量の悪臭低減材料は、Ｆｒａｇｒａｎｃｅ  Ｆｉｄｅｌｉｔｙ  Ｉｎｄｅｘの平均が３〜０．００１であるか、または、前記総量の悪臭低減材料中の悪臭低減材料は、それぞれ、Ｆｒａｇｒａｎｃｅ  Ｆｉｄｅｌｉｔｙ  Ｉｎｄｅｘが３未満である、請求項１に記載の清浄組成物。
【請求項６】
請求項１に記載の清浄組成物であって、前記組成物は、少なくとも１２個の炭素原子を含むイソアルカン、四級アミン部分を含む化合物、潤滑剤、さらなる溶媒グリコール、アルコール、シリコーン、防腐剤、抗菌剤、ｐＨ調整剤、キャリア、昆虫忌避剤、金属塩、シクロデキストリン、機能性ポリマー、消泡剤、酸化防止剤、酸化剤、キレート化剤、およびこれらの混合物からなる群から選択される補助成分を含む、清浄組成物。
【請求項７】
請求項１に記載の清浄組成物であって、１，１，２，３，３−ペンタメチル−１，２，３，５，６，７−ヘキサヒドロ−４Ｈ−インデン−４−オン；３ａ，４，５，６，７，７ａ−ヘキサヒドロ−１Ｈ−４，７−メタノインデン−６−イルアセテート；１−（（２−（ｔｅｒｔ−ブチル）シクロヘキシル）オキシ）ブタン−２−オール；２−（８−イソプロピル−６−メチルビシクロ［２．２．２］オクタ−５−エン−２−イル）−１，３−ジオキソラン；（Ｅ）−オキサシクロヘキサデカ−１３−エン−２−オン；（Ｚ）−シクロオクタ−４−エン−１−イルメチルカーボネート；７−メチルオクチルアセテート；ドデカン酸エチル；４，５−エポキシ−４，１１，１１−トリメチル−８−メチレンビシクロ（７．２．０）ウンデカン；１，３，４，６，７，８α−ヘキサヒドロ−１，１，５，５−テトラメチル−２Ｈ−２，４α−メタノフタレン−８（５Ｈ）−オン；８，８−ジメチル−３ａ，４，５，６，７，７ａ−ヘキサヒドロ−１Ｈ−４，７−メタノインデン−６−イルプロピオネート；（Ｚ）−ノナ−６−エン−１−オール；（Ｅ）−デカ−４−エナール；（１−メチル−２−（（１，２，２−トリメチルビシクロ［３．１．０］ヘキサン−３−イル）メチル）シクロプロピル）メタノール；２，６−ジ−ｔｅｒｔ−ブチル−４−メチルフェノール；（Ｅ）−３，７−ジメチルオクタ−２，６−ジエン−１−イルパルミテート；３−メチル−５−フェニルペンタン−１−オール；３−（３，３−ジメチル−２，３−ジヒドロ−１Ｈ−インデン−５−イル）プロパナール；２，２，６，６，７，８，８−ヘプタメチルデカヒドロ−２Ｈ−インデノ［４，５−ｂ］フラン；（Ｒ，Ｚ）−１−（２，６，６−トリメチルシクロヘキサ−２−エン−１−イル）ペンタ−１−エン−３−オン；（Ｅ）−３，７−ジメチルオクタ−１，３，６−トリエン；１−（５，５−ジメチルシクロヘキサ−１−エン−１−イル）ペンタ−４−エン−１−オン；（Ｅ）−シクロヘキサデカ−５−エン−１−オン；２−イソプロピル−５−メチルフェノール；およびこれらの混合物からなる群から選択される、総量の０．０００１％〜０．０７％の３〜２０種類の悪臭低減材料を含む、清浄組成物。
【請求項８】
請求項１に記載の清浄組成物であって、１，１，２，３，３−ペンタメチル−１，２，３，５，６，７−ヘキサヒドロ−４Ｈ−インデン−４−オン；３ａ，４，５，６，７，７ａ−ヘキサヒドロ−１Ｈ−４，７−メタノインデン−６−イルアセテート；１−（（２−（ｔｅｒｔ−ブチル）シクロヘキシル）オキシ）ブタン−２−オール；２−（８−イソプロピル−６−メチルビシクロ［２．２．２］オクタ−５−エン−２−イル）−１，３−ジオキソラン；（Ｅ）−オキサシクロヘキサデカ−１３−エン−２−オン；（Ｚ）−シクロオクタ−４−エン−１−イルメチルカーボネート；７−メチルオクチルアセテート；ドデカン酸エチル；４，５−エポキシ−４，１１，１１−トリメチル−８−メチレンビシクロ（７．２．０）ウンデカン；１，３，４，６，７，８α−ヘキサヒドロ−１，１，５，５−テトラメチル−２Ｈ−２，４α−メタノフタレン−８（５Ｈ）−オン；８，８−ジメチル−３ａ，４，５，６，７，７ａ−ヘキサヒドロ−１Ｈ−４，７−メタノインデン−６−イルプロピオネート；（Ｚ）−ノナ−６−エン−１−オール；（Ｅ）−デカ−４−エナール；（１−メチル−２−（（１，２，２−トリメチルビシクロ［３．１．０］ヘキサン−３−イル）メチル）シクロプロピル）メタノール；２，６−ジ−ｔｅｒｔ−ブチル−４−メチルフェノール；（Ｅ）−３，７−ジメチルオクタ−２，６−ジエン−１−イルパルミテート；３−メチル−５−フェニルペンタン−１−オール；３−（３，３−ジメチル−２，３−ジヒドロ−１Ｈ−インデン−５−イル）プロパナール；２，２，６，６，７，８，８−ヘプタメチルデカヒドロ−２Ｈ−インデノ［４，５−ｂ］フラン；（Ｒ，Ｚ）−１−（２，６，６−トリメチルシクロヘキサ−２−エン−１−イル）ペンタ−１−エン−３−オン；（Ｅ）−３，７−ジメチルオクタ−１，３，６−トリエン；１−（５，５−ジメチルシクロヘキサ−１−エン−１−イル）ペンタ−４−エン−１−オン；（Ｅ）−シクロヘキサデカ−５−エン−１−オン；２−イソプロピル−５−メチルフェノール；およびこれらの混合物からなる群から選択される、総量の０．０００１％〜０．０７％の４〜２０種類の悪臭低減材料を含む、清浄組成物。
【請求項９】
請求項１に記載の清浄組成物であって、１，１，２，３，３−ペンタメチル−１，２，３，５，６，７−ヘキサヒドロ−４Ｈ−インデン−４−オン；３ａ，４，５，６，７，７ａ−ヘキサヒドロ−１Ｈ−４，７−メタノインデン−６−イルアセテート；１−（（２−（ｔｅｒｔ−ブチル）シクロヘキシル）オキシ）ブタン−２−オール；２−（８−イソプロピル−６−メチルビシクロ［２．２．２］オクタ−５−エン−２−イル）−１，３−ジオキソラン；（Ｅ）−オキサシクロヘキサデカ−１３−エン−２−オン；（Ｚ）−シクロオクタ−４−エン−１−イルメチルカーボネート；７−メチルオクチルアセテート；ドデカン酸エチル；４，５−エポキシ−４，１１，１１−トリメチル−８−メチレンビシクロ（７．２．０）ウンデカン；１，３，４，６，７，８α−ヘキサヒドロ−１，１，５，５−テトラメチル−２Ｈ−２，４α−メタノフタレン−８（５Ｈ）−オン；８，８−ジメチル−３ａ，４，５，６，７，７ａ−ヘキサヒドロ−１Ｈ−４，７−メタノインデン−６−イルプロピオネート；（Ｚ）−ノナ−６−エン−１−オール；（Ｅ）−デカ−４−エナール；（１−メチル−２−（（１，２，２−トリメチルビシクロ［３．１．０］ヘキサン−３−イル）メチル）シクロプロピル）メタノール；２，６−ジ−ｔｅｒｔ−ブチル−４−メチルフェノール；（Ｅ）−３，７−ジメチルオクタ−２，６−ジエン−１−イルパルミテート；３−メチル−５−フェニルペンタン−１−オール；３−（３，３−ジメチル−２，３−ジヒドロ−１Ｈ−インデン−５−イル）プロパナール；２，２，６，６，７，８，８−ヘプタメチルデカヒドロ−２Ｈ−インデノ［４，５−ｂ］フラン；（Ｒ，Ｚ）−１−（２，６，６−トリメチルシクロヘキサ−２−エン−１−イル）ペンタ−１−エン−３−オン；（Ｅ）−３，７−ジメチルオクタ−１，３，６−トリエン；１−（５，５−ジメチルシクロヘキサ−１−エン−１−イル）ペンタ−４−エン−１−オン；（Ｅ）−シクロヘキサデカ−５−エン−１−オン；２−イソプロピル−５−メチルフェノール；およびこれらの混合物からなる群から選択される、総量の０．０００１％〜０．０７％の５〜２０種類の悪臭低減材料を含む、清浄組成物。
【請求項１０】
請求項１〜９に記載の清浄組成物を含むデバイスであって、前記デバイスは、トリガー式噴霧器、手動のエアロゾル噴霧器、自動エアロゾル噴霧器、芯を含有するデバイス、ファンデバイスおよびサーマルドロップオンデマンドデバイスからなる群から選択される、デバイス。
【請求項１１】
悪臭を制御する方法であって、悪臭を含む場所および／または悪臭を発生しそうな場所と、請求項１〜１０のいずれか一項に記載の組成物およびその混合物からなる群から選択される組成物とを接触させることを含む方法。
【請求項１２】
前記接触させる工程が、前記場所と、十分な量の請求項１〜９のいずれか一項に記載の組成物とを接触させ、前記場所の計画された表面積１平方メートルあたり、０．１ミリグラム（ｍｇ）〜１０，０００ｍｇの前記総量の悪臭低減材料を有する前記悪臭を与えることを含む、請求項１１に記載の方法。
【発明の詳細な説明】
【技術分野】
【０００１】
本発明は、清浄組成物、および悪臭低減組成物を含み、粘度が約１ｍＰａ・ｓ〜約５０，０００ｍＰａ・ｓの組成物を含む、清浄組成物を含むデバイス、およびこのような組成物の製造方法および使用方法に関する。
【背景技術】
【０００２】
無香料または低香料製品は、香料入り商品より自然で、より控え目と考えられる場合があり、消費者に好まれる。悪臭を抑制するための無香料または低香料製品のメーカーは、悪臭を低減するうえで悪臭低減成分またはその他の技術（例えばフィルター）に頼っている。しかし、例えば、アミン系の悪臭（例えば、魚および尿）、チオール系およびスルフィド系の悪臭（例えば、ニンニクおよびタマネギ）、Ｃ2〜Ｃ12カルボン酸系の悪臭（例えば、身体およびペットの臭い）、インドール系の悪臭（例えば、糞便および臭い息）、短鎖脂肪族アルデヒド系の悪臭（例えば、脂）およびゲオスミン系の悪臭（例えば、カビ／白カビ）のような悪臭を効果的に制御することは困難な場合があり、ある製品が悪臭を著しく減らすのに必要な時間は、悪臭に対する製品の効能について消費者に疑いを抱かせることがある。多くの場合、メーカーは、これら困難な悪臭をマスキングするために芳香香料を組み込んでいる。
【０００３】
残念ながら、悪臭制御技術は、典型的には、悪臭をもっと強い香りで覆い隠すため、この悪臭制御技術で処理された芳香を放つ場所または芳香を放たない場所の香りを妨害する。したがって、現行の悪臭制御技術の限定的な性質は、特に制限されている。したがって、必要なことは、香料コミュニティが多くの状況／用途で望ましいレベルの特徴を運ぶことができるような、広範囲の悪臭制御技術である。驚くべきことに、出願人は、感覚細胞への悪臭の到達をブロックすることに加え、望ましい目標を達成するために、悪臭制御技術は、このような感覚細胞が、他の分子（例えば、香り分子）に向かって開いたままでなければならないことを認識した。結果として、開示される悪臭低減組成物は、清浄組成物の香りを過度に妨害せず、これらの技術を含むデバイス、およびこのような清浄組成物およびデバイスで処理された芳香を放つ場所または芳香を放たない場所の香りを過度に妨害しない。
【発明の概要】
【課題を解決するための手段】
【０００４】
本発明は、清浄組成物、および悪臭低減組成物を含み、粘度が約１ｍＰａ・ｓ〜約５０，０００ｍＰａ・ｓの組成物を含む、清浄組成物を含むデバイス、およびこのような組成物の製造方法および使用方法に関する。開示される悪臭低減組成物は、清浄組成物の香りを過度に妨害せず、これらの技術を含むデバイス、およびこのような清浄組成物およびデバイスで処理された芳香を放つ場所または芳香を放たない場所の香りを過度に妨害しない。
【発明を実施するための形態】
【０００５】
本明細書で使用する場合、「ＭＯＲＶ」は、目的材料について計算された悪臭低減値である。材料のＭＯＲＶは、このような材料が、１種類以上の悪臭の検知を減らすか、またはなくしさえする能力を示す。本出願の目的のために、材料のＭＯＲＶは、本出願の試験方法の章に見出される方法に従って計算される。
【０００６】
本明細書で使用する場合、「香料」という用語は、悪臭低減材料を含まない。したがって、組成物の香料部分は、香料の組成が決定されたとき、組成物中に見出される任意の悪臭低減材料（例えば、本明細書に記載されるような悪臭低減材料）を含まない。簡単に言うと、ある材料の悪臭低減値「ＭＯＲＶ」が、本特許請求の範囲に引用されるＭＯＲＶの範囲内である場合、このような材料は、この特許請求の範囲の目的のための悪臭低減材料である。
【０００７】
本明細書で使用する場合、「悪臭」とは、排便にともなう複合臭のようなほとんどの人々にとって一般的に不快であるか不愉快である化合物を意味する。
【０００８】
本明細書で使用する場合、「中和する」または「中和」とは、化合物または製品が悪臭化合物を低減するか、または除去する能力を意味する。臭気の中和は、所定の状況で複数種の悪臭化合物のいくつかのみに作用するか、または１種の悪臭化合物の一部のみに作用する、部分的なものであってよい。悪臭化合物は、新しい化学物質を生じる化学反応、金属イオン封鎖、キレート化、会合、または悪臭化合物をそれほど悪臭が強くないかまたは無悪臭にする他の相互作用によって中和されてもよい。臭気マスキングまたは臭気ブロッキングは、悪臭化合物の状態変化に相当する変化が一切ない、悪臭を知覚する能力の変化であるのに対して、中和は、悪臭化合物の変化があるという点で、臭気マスキングや臭気ブロッキングと区別することができる。悪臭中和は、知覚および分析測定可能（例えば、ガスクロマトグラフ）な悪臭の低減をもたらす。したがって、ある悪臭低減組成物が真の悪臭中和をもたらすならば、その組成物は気相および／または液相中の悪臭を低減するであろう。
【０００９】
本願で使用する場合、用語「臭気ブロッキング」は、人間の嗅覚を鈍くすることができる化合物の能力を意味する。
【００１０】
本明細書で使用する場合、用語「ａ」および「ａｎ」は、「少なくとも１つ」を意味する。
【００１１】
本明細書で使用する場合、用語「含む（include）」、「含む（includes）」、および「含んでいる（including）」は、非限定的であることを意味する。
【００１２】
別途指定されない限り、成分または組成物の濃度は全て、当該成分または組成物の活性部分に関するものであり、このような成分または組成物の市販の供給源に存在し得る不純物、例えば、残留溶媒または副生成物は除外される。
【００１３】
全ての百分率および比率は、別途指定されない限り、重量で計算される。全ての百分率および比率は、別途指定されない限り、全組成物を基準にして計算される。
【００１４】
本明細書の全体を通じて与えられる全ての最大数値限定は、それよりも小さい数値限定を、そのようなより小さい数値限定があたかも本明細書に明確に記載されているかのように包含するものと理解すべきである。本明細書の全体を通じて与えられる全ての最小数値限定は、より大きい全ての数値限定を、そのようなより大きい数値限定があたかも本明細書に明確に記載されているかのように包含する。本明細書全体を通して与えられる全ての数値範囲は、そのようなより広い数値範囲内に入るより狭い全ての数値範囲を、そのような狭い数値範囲があたかも全て本明細書に明確に記載されているかのように包含する。
【００１５】
悪臭低減材料
適切な悪臭低減材料の非限定的なセットを以下の表に提示する。使用を簡単にするために、表１〜３のそれぞれの材料は、「番号」に示されたそれぞれの表の列にみられる数識別子が割り当てられる。表４は、表１の部分的なセットであり、表５は、表２の部分的なセットであり、表６は、表３の部分的なセットであり、表４、５および６は、それぞれ表１〜３にみられる数識別子と同じ数識別子を使用する。
【００１６】
【表１】
2020000884.tif 000002
【００１７】
【表２−１】
2020000884.tif 000003
【００１８】
【表２−２】
2020000884.tif 000004
【００１９】
【表２−３】
2020000884.tif 000005
【００２０】
【表２−４】
2020000884.tif 000006
【００２１】
【表２−５】
2020000884.tif 000007
【００２２】
【表２−６】
2020000884.tif 000008
【００２３】
【表２−７】
2020000884.tif 000009
【００２４】
【表２−８】
2020000884.tif 000010
【００２５】
【表２−９】
2020000884.tif 000011
【００２６】
【表２−１０】
2020000884.tif 000012
【００２７】
【表２−１１】
2020000884.tif 000013
【００２８】
【表２−１２】
2020000884.tif 000014
【００２９】
【表２−１３】
2020000884.tif 000015
【００３０】
【表２−１４】
2020000884.tif 000016
【００３１】
【表３】
2020000884.tif 000017
【００３２】
【表４−１】
2020000884.tif 000018
【００３３】
【表４−２】
2020000884.tif 000019
【００３４】
【表４−３】
2020000884.tif 000020
【００３５】
【表４−４】
2020000884.tif 000021
【００３６】
【表４−５】
2020000884.tif 000022
【００３７】
【表４−６】
2020000884.tif 000023
【００３８】
【表５−１】
2020000884.tif 000024
【００３９】
【表５−２】
2020000884.tif 000025
【００４０】
【表５−３】
2020000884.tif 000026
【００４１】
【表６】
2020000884.tif 000027
【００４２】
【表７】
2020000884.tif 000028
【００４３】
表１〜６の材料は、以下の１つ以上によって供給することができる。
プレインズボロ、ＮＪ、米国のＦｉｒｍｅｎｉｃｈ  Ｉｎｃ．ニューヨーク、ＮＹのＩｎｔｅｒｎａｔｉｏｎａｌ  Ｆｌａｖｏｒ  ａｎｄ  Ｆｒａｇｒａｎｃｅ  Ｉｎｃ．米国；Ｔａｋａｓａｇｏ  Ｃｏｒｐ．テターボロ、ＮＪ  ＵＳＡ；Ｔａｋａｓａｇｏ  Ｃｏｒｐ．テターボロ、ＮＪ  ＵＳＡ；Ｓｉｇｍａ−Ａｌｄｒｉｃｈ／ＳＡＦＣ  Ｉｎｃ．カールスバッド，ＣＡ  ＵＳＡ；およびＢｅｄｏｕｋｉａｎ  Ｒｅｓｅａｒｃｈ  Ｉｎｃ．ダンベリー，ＣＴ  ＵＳＡ。
【００４４】
上の表１〜６に列挙したそれぞれの材料の実際のＭＯＲＶ値は、以下の通りである。
【００４５】
【表８−１】
2020000884.tif 000029
【００４６】
【表８−２】
2020000884.tif 000030
【００４７】
【表８−３】
2020000884.tif 000031
【００４８】
【表８−４】
2020000884.tif 000032
【００４９】
【表８−５】
2020000884.tif 000033
【００５０】
【表８−６】
2020000884.tif 000034
【００５１】
【表８−７】
2020000884.tif 000035
【００５２】
【表８−８】
2020000884.tif 000036
【００５３】
【表８−９】
2020000884.tif 000037
【００５４】
【表８−１０】
2020000884.tif 000038
【００５５】
【表８−１１】
2020000884.tif 000039
【００５６】
【表８−１２】
2020000884.tif 000040
【００５７】
【表８−１３】
2020000884.tif 000041
【００５８】
【表８−１４】
2020000884.tif 000042
【００５９】
【表８−１５】
2020000884.tif 000043
【００６０】
【表８−１６】
2020000884.tif 000044
【００６１】
【表８−１７】
2020000884.tif 000045
【００６２】
清浄組成物および方法
清浄組成物であって、粘度が、約１ｍＰａ・ｓ〜約５０，０００ｍＰａ・ｓ、好ましくは、約１ｍＰａ・ｓ〜約２０００ｍＰａ・ｓ、最も好ましくは、約１ｍＰａ・ｓ〜約４００ｍＰａ・ｓであり、ｐＨが、約３〜約１０、好ましくは、約４〜約８、最も好ましくは、約５〜約８であり、前記清浄組成物が、清浄組成物全体の重量を基準として、
（ａ）総量が約０．０００１％〜約２％、好ましくは、約０．０００１％〜約１．５％、さらに好ましくは、約０．００１％〜約１％、最も好ましくは、約０．００７％〜約０．７％の１種類以上の悪臭低減材料、好ましくは、１〜約７５種類の悪臭低減材料、さらに好ましくは、１〜約５０種類の悪臭低減材料、さらに好ましくは、１〜約３５種類の悪臭低減材料、最も好ましくは、１〜約２０種類の悪臭低減材料であって、前記悪臭低減材料は、それぞれ、ＭＯＲＶが少なくとも０．５、好ましくは、０．５〜１０、さらに好ましくは、１〜１０、最も好ましくは、１〜５であり、好ましくは、前記悪臭低減材料は、それぞれ、Ｕｎｉｖｅｒｓａｌ  ＭＯＲＶを有するか、または、前記総量の悪臭低減材料は、Ｂｌｏｃｋｅｒ  Ｉｎｄｅｘが３未満、さらに好ましくは、約２．５未満、さらになお好ましくは、約２未満、さらになお好ましくは、約１未満、最も好ましくは、０であり、および／または、Ｂｌｏｃｋｅｒ  Ｉｎｄｅｘの平均が３〜約０．００１である、悪臭低減材料；および
（ｂ）約０．０１％〜約３％、好ましくは、約０．４％〜約１％、さらに好ましくは、約０．１％〜約０．５％、最も好ましくは、約０．１％〜約０．３％の可溶化剤であって、好ましくは、前記可溶化剤は界面活性剤、溶媒およびこれらの混合物からなる群から選択され、好ましくは
（ｉ）好ましくは、前記界面活性剤は、非イオン性界面活性剤を含み；
（ｉｉ）好ましくは、前記溶媒は、アルコール、ポリオールおよびこれらの混合物を含む、可溶化剤；
（ｃ）場合により、補助成分を含む、清浄組成物
が開示される。
【００６３】
粘度が下がるにつれて、噴霧能力が向上し、布地への浸透性が向上する。酸性の臭気および塩基性の臭気の両方を中和するために、ｐＨ５〜８が有用であり、このことが、臭気中和組成物で有用である。また、ある種の成分が極端なｐＨで安定ではない場合であっても、香料の安定性を高めるのに役立つ。少ない材料を用いるので、配合の複雑さを減らすのに役立ち、そのため、組成物の製造費用を安くするのに役立つ。臭気低減材料のブロッカー指数（ＢＩ）が小さいほど、悪臭の検知が小さくなる。
【００６４】
可溶化剤の範囲が狭くなるにつれて、処理中または使用中に望ましい気泡が存在せずに、必要な可溶化を維持することができる。費用の理由から、量が少ない方がよい。最後に、非イオン性界面活性剤は、カチオン性抗菌剤（「ｑｕａｔ」）、ＰＥＩポリマーなどの他の成分との適合性が高い。
【００６５】
前記清浄組成物の一態様において、前記総量の悪臭低減材料は、Ｂｌｏｃｋｅｒ  Ｉｎｄｅｘが３未満、さらに好ましくは約２．５未満、さらになお好ましくは、約２未満、さらになお好ましくは、約１未満、最も好ましくは、０であり、および／またはＢｌｏｃｋｅｒ  Ｉｎｄｅｘの平均が３〜約０．００１である。
【００６６】
前記清浄組成物の一態様において、前記悪臭低減材料は、それぞれ、ＭＯＲＶが少なくとも０．５、好ましくは、０．５〜１０、さらに好ましくは、１〜１０、最も好ましくは、１〜５であり、好ましくは、前記悪臭低減材料は、それぞれ、Ｕｎｉｖｅｒｓａｌ  ＭＯＲＶを有する。
【００６７】
前記清浄組成物の一態様において、前記総量の悪臭低減材料は、Ｆｒａｇｒａｎｃｅ  Ｆｉｄｅｌｉｔｙ  Ｉｎｄｅｘの平均が３〜約０．００１Ｆｒａｇｒａｎｃｅ  Ｆｉｄｅｌｉｔｙ  Ｉｎｄｅｘであり、好ましくは、前記総量の悪臭低減材料中の悪臭低減材料の総量は、Ｆｒａｇｒａｎｃｅ  Ｆｉｄｅｌｉｔｙ  Ｉｎｄｅｘが３未満、好ましくは、２未満、さらに好ましくは、１未満であり、最も好ましくは、前記総量の悪臭低減材料中の悪臭低減材料は、それぞれ、Ｆｒａｇｒａｎｃｅ  Ｆｉｄｅｌｉｔｙ  Ｉｎｄｅｘが０である。
【００６８】
前記清浄組成物の一態様において、前記清浄組成物は、１つ以上の香料原材料を含み、前記悪臭低減材料の部分と香料の部分の重量比率は、約１：２０，０００〜約３０００：１、好ましくは、約１：１０，０００〜１，０００：１、さらに好ましくは、５０００：１〜約５００：１、最も好ましくは、約１：１５〜約２：１である。この比率の範囲が狭いほど、ＭＯＲＶ材料に由来する臭気と、香料の香りのバランスが向上する。
【００６９】
前記清浄組成物の一態様において、前記悪臭低減材料は、表１の材料およびこれらの混合物からなる群から選択され、好ましくは、前記材料は、表１の材料１、２、３、４、７、９、１０、１１、１３、１４、１６、１７、１８、２１、２２、２３、２５、２８、２９、３０、３１、３２、３３、３４、３５、３６、３７、３８、３９、４２、４３、４７、４８、４９、５０、５２、５７、６１、６２、６３、６４、６５、６７、６８、６９、７０、７１、７４、７５、７６、７７、７８、７９、８０、８２、８３、８５、９１、９２、９３、９８、１００、１０１、１０２、１０３、１０４、１０５、１０６、１０８、１０９、１１０、１１２、１１３、１１４、１１７、１１９、１２０、１２２、１２３、１２６、１２８、１３０、１３４、１３５、１３７、１４０、１４１、１４２、１４３、１４５、１４６、１４８、１４９、１５２、１５３、１５５、１５６、１５８、１５９、１６１、１６２、１６７、１６８、１７０、１７４、１７５、１７６、１７７、１７８、１７９、１８２、１８３、１８４、１８５、１８６、１８７、１８９、１９０、１９２、１９３、１９５、１９６、１９７、１９９、２０６、２０８、２０９、２１０、２１１、２１２、２１５、２１８、２２１、２２７、２２８、２２９、２３０、２３１、２３３、２３４、２３８、２４２、２４３、２４４、２４６、２４７、２４９、２５２、２５３、２５４、２５６、２５９、２６０、２６１、２６３、２６７、２６９、２７１、２７４、２７６、２７７、２７８、２８０、２８１、２８５、２８６、２８８、２８９、２９０、２９２、２９３、２９４、２９５、２９６、３００、３０１、３０３、３０７、３１６、３１７、３１８、３２１、３２２、３２３、３２４、３２５、３２８、３２９、３３０、３３１、３３２、３３３、３３４、３３５、３３６、３３８、３３９、３４２、３４３、３４４、３４７、３４９、３５０、３５２、３５３、３５６、３５８、３５９、３６０、３６１、３６２、３６３、３６４、３６８、３６９、３７０、３７１、３７２、３７３、３７４、３７５、３７７、３７８、３８１、３８５、３８６、３８８、３９０、３９１、３９４、３９７、３９８、４０７、４１３、４１４、４１５、４１６、４１７、４１８、４２１、４２４、４２５、４２６、４２８、４２９、４３２、４３６、４４１、４４４、４４５、４４９、４５０、４５３、４５７、４５９、４６１、４６２、４６３、４６４、４６５、４６６、４６７、４６８、４７０、４７１、４７３、４７４、４７５、４７８、４７９、４８０、４８２、４８４、４８５、４８６、４８７、４８８、４９１、４９３、４９７、４９８、５０１、５０２、５０３、５０５、５１９、５２０、５２１、５２４、５２７、５２９、５３０、５３１、５３２、５３４、５３７、５４１、５４４、５４６、５４８、５５０、５５１、５５２、５５３、５５５、５５８、５５９、５６０、５６１、５６２、５６３、５６５、５６６、５６７、５６８、５６９、５７０、５７１、５７２、５７３、５７４、５７７、５７８、５８０、５８１、５８２、５８４、５８６、５８７、５８９、５９１、５９２、５９４、５９５、５９９、６００、６０１、６０３、６０４、６０６、６０７、６０８、６０９、６１０、６１１、６１２、６１３、６１４、６１５、６１６、６１８、６２０、６２１、６２４、６２５、６２６、６２７、６２８、６３１、６３２、６３３、６３５、６３６、６３８、６３９、６４４、６４９、６５０、６５３、６５５、６５８、６５９、６６０、６６１、６６３、６６８、６７１、６７３、６７４、６７５、６７６、６７７、６７８、６７９、６８０、６８１、６８２、６８３、６８４、６８６、６９１、６９２、６９３、６９４、６９６、６９７、６９８、７００、７０２、７０４、７０６、７０７、７０８、７０９、７１０、７１１、７１２、７１３、７１４、７１５、７１６、７１７、７１８、７１９、７２０、７２１、７２２、７２３、７２４、７２５、７２６、７２７、７３０、７３１、７３３、７３５、７３６、７３８、７４１、７４２、７４６、７４８、７５０、７５２、７５４、７５７、７５８、７６３、７６４、７６６、７６７、７６８、７６９、７７０、７７１、７７２、７７４、７７５、７７６、７７８、７８１、７８２、７８６、７８８、７９１、７９２、８００、８０２、８０３、８０４、８０５、８０６、８０７、８１４、８２１、８２４、８２６、８２７、８２８、８２９、８３１、８３３、８３４、８３７、８３９、８４０、８４９、８５０、８５２、８５６、８６４、８６５、８６６、８６８、８６９、８７０、８７１、８７２、８７３、８７６、８７７、８７８、８７９、８８１、８８４、８８５、８８６、８９０、８９２、８９３、８９４、８９７、９０５、９０８、９１２、９１３、９１４、９１６、９１９、９２０、９２２、９２３、９２４、９２５、９２６、９２７、９２８、９２９、９３０、９３３、９３７、９３９、９４１、９４２、９４３、９４５、９４６、９４７、９４８、９５０、９５１、９５３、９５４、９５５、９５９、９６２、９６５、９６７、９６９、９７３、９７４、９７６、９７８、９８０、９８２、９８５、９８８、９９３、９９８、１０００、１００３、１００６、１００７、１００８、１００９、１０１０、１０１２、１０１６、１０２０、１０２１、１０２２、１０２３、１０２４、１０２５、１０２６、１０２７、１０２８、１０２９、１０３１、１０３２、１０３３、１０３５、１０３６、１０３７、１０３８、１０４２、１０４３、１０４５、１０４６、１０４７、１０５３、１０５７、１０５９、１０６０、１０６２、１０６３、１０６４、１０６５、１０６６、１０６７、１０７０、１０７２、１０７３、１０７５、１０７７、１０７８、１０８２、１０８３、１０８５、１０８９、１０９０、１０９１、１０９３、１０９５、１０９７、１０９９、１１０２、１１０４、１１０５、１１０７、１１１１、１１１３、１１１６、１１１７、１１２０、１１２１、１１２５、１１２６、１１２９、１１３１、１１３５、１１３６、１１３７、１１３８、１１３９、１１４０、１１４２、１１４３、１１４４、１１４５、１１４６、１１４７、１１４８、１１４９、表２の材料２、２３、１４１、１８５、２２７、２３０、２４６、２４８、３４３、３５９、５６５、６３１、６５９、６７４、６７８、６７９、７１５、７５８、１０２８、１０９７、表３の材料１２、１９、２０、２４、２６、２７、５３、５４、５５、５９、７２、７３、８１、８４、９６、９７、１０７、１１１、１１５、１１６、１２５、１３３、１４７、１５０、１５１、１５４、１５７、１６３、１６６、１６９、１８１、１９１、１９４、１９８、２０１、２０４、２０５、２１３、２１４、２３２、２３７、２３９、２５５、２５８、２６４、２７０、２７３、２７５、２８２、２８３、２８４、２８７、３０２、３０６、３０８、３１０、３１２、３１４、３１９、３４６、３５４、３５５、３６５、３６６、３７６、３７９、３８７、４００、４１２、４１９、４２０、４３７、４３８、４３９、４４０、４４２、４４３、４４７、４４８、４５４、４５５、４６９、４７２、４７７、４８１、４９２、４９５、４９６、５０４、５０９、５１０、５１２、５１５、５１７、５１８、５２２、５２５、５２６、５２８、５３５、５３６、５３８、５４０、５４２、５４７、５４９、５５４、５５６、５５７、５７５、５７６、５７９、５８３、５８５、５８８、６０２、６０５、６１７、６１９、６４０、６４１、６４５、６４７、６５１、６５２、６６２、６６４、６６５、６６７、６７２、６８７、６９９、７０１、７０３、７４０、７４３、７４４、７４５、７５５、７６０、７６１、７７７、７７９、７８４、７８９、７９６、７９７、７９９、８０８、８１０、８１１、８１２、８１７、８１９、８２０、８３２、８３５、８３６、８３８、８４５、８４６、８４７、８４８、８５１、８５８、８７５、８８０、８８２、８８３、８８８、８８９、８９１、８９９、９００、９０１、９０２、９０３、９０４、９０９、９１８、９２１、９３１、９４０、９５６、９５８、９６０、９７１、９７７、９８１、９８３、９８６、９８７、９９４、９９５、１００１、１００２、１００４、１００５、１０１１、１０１７、１０１８、１０１９、１０３０、１０３９、１０４０、１０４１、１０５１、１０５２、１０５４、１０５５、１０５８、１０６１、１０６９、１０７１、１０７４、１０７６、１０７９、１０８１、１０８４、１０８８、１０９８、１１１０、１１１２、１１１５、１１１８、１１１９、１１２２、１１２７、１１２８、１１３３、１１３４、１１４１およびこれらの混合物からなる群から選択され；前記材料は、表１の材料１、２、３、４、７、９、１０、１１、１３、１４、１６、１７、１８、２１、２２、２３、２５、２８、２９、３０、３１、３２、３３、３４、３５、３６、３７、３８、３９、４２、４３、４７、４８、４９、５０、５２、５７、６１、６２、６３、６４、６５、６７、６８、６９、７０、７１、７４、７５、７６、７７、７８、７９、８０、８２、８３、８５、９１、９２、９３、９８、１００、１０１、１０２、１０３、１０４、１０５、１０６、１０８、１０９、１１０、１１２、１１３、１１４、１１７、１１９、１２０、１２２、１２３、１２６、１２８、１３０、１３４、１３５、１３７、１４０、１４１、１４２、１４３、１４５、１４６、１４８、１４９、１５２、１５３、１５５、１５６、１５８、１５９、１６１、１６２、１６７、１６８、１７０、１７４、１７５、１７６、１７７、１７８、１７９、１８２、１８３、１８４、１８５、１８６、１８７、１８９、１９０、１９２、１９３、１９５、１９６、１９７、１９９、２０６、２０８、２０９、２１０、２１１、２１２、２１５、２１８、２２１、２２７、２２８、２２９、２３０、２３１、２３３、２３４、２３８、２４２、２４３、２４４、２４６、２４７、２４９、２５２、２５３、２５４、２５６、２５９、２６０、２６１、２６３、２６７、２６９、２７１、２７４、２７６、２７７、２７８、２８０、２８１、２８５、２８６、２８８、２８９、２９０、２９２、２９３、２９４、２９５、２９６、３００、３０１、３０３、３０７、３１６、３１７、３１８、３２１、３２２、３２３、３２４、３２５、３２８、３２９、３３０、３３１、３３２、３３３、３３４、３３５、３３６、３３８、３３９、３４２、３４３、３４４、３４７、３４９、３５０、３５２、３５３、３５６、３５８、３５９、３６０、３６１、３６２、３６３、３６４、３６８、３６９、３７０、３７１、３７２、３７３、３７４、３７５、３７７、３７８、３８１、３８５、３８６、３８８、３９０、３９１、３９４、３９７、３９８、４０７、４１３、４１４、４１５、４１６、４１７、４１８、４２１、４２４、４２５、４２６、４２８、４２９、４３２、４３６、４４１、４４４、４４５、４４９、４５０、４５３、４５７、４５９、４６１、４６２、４６３、４６４、４６５、４６６、４６７、４６８、４７０、４７１、４７３、４７４、４７５、４７８、４７９、４８０、４８２、４８４、４８５、４８６、４８７、４８８、４９１、４９３、４９７、４９８、５０１、５０２、５０３、５０５、５１９、５２０、５２１、５２４、５２７、５２９、５３０、５３１、５３２、５３４、５３７、５４１、５４４、５４６、５４８、５５０、５５１、５５２、５５３、５５５、５５８、５５９、５６０、５６１、５６２、５６３、５６５、５６６、５６７、５６８、５６９、５７０、５７１、５７２、５７３、５７４、５７７、５７８、５８０、５８１、５８２、５８４、５８６、５８７、５８９、５９１、５９２、５９４、５９５、５９９、６００、６０１、６０３、６０４、６０６、６０７、６０８、６０９、６１０、６１１、６１２、６１３、６１４、６１５、６１６、６１８、６２０、６２１、６２４、６２５、６２６、６２７、６２８、６３１、６３２、６３３、６３５、６３６、６３８、６３９、６４４、６４９、６５０、６５３、６５５、６５８、６５９、６６０、
６６１、６６３、６６８、６７１、６７３、６７４、６７５、６７６、６７７、６７８、６７９、６８０、６８１、６８２、６８３、６８４、６８６、６９１、６９２、６９３、６９４、６９６、６９７、６９８、７００、７０２、７０４、７０６、７０７、７０８、７０９、７１０、７１１、７１２、７１３、７１４、７１５、７１６、７１７、７１８、７１９、７２０、７２１、７２２、７２３、７２４、７２５、７２６、７２７、７３０、７３１、７３３、７３５、７３６、７３８、７４１、７４２、７４６、７４８、７５０、７５２、７５４、７５７、７５８、７６３、７６４、７６６、７６７、７６８、７６９、７７０、７７１、７７２、７７４、７７５、７７６、７７８、７８１、７８２、７８６、７８８、７９１、７９２、８００、８０２、８０３、８０４、８０５、８０６、８０７、８１４、８２１、８２４、８２６、８２７、８２８、８２９、８３１、８３３、８３４、８３７、８３９、８４０、８４９、８５０、８５２、８５６、８６４、８６５、８６６、８６８、８６９、８７０、８７１、８７２、８７３、８７６、８７７、８７８、８７９、８８１、８８４、８８５、８８６、８９０、８９２、８９３、８９４、８９７、９０５、９０８、９１２、９１３、９１４、９１６、９１９、９２０、９２２、９２３、９２４、９２５、９２６、９２７、９２８、９２９、９３０、９３３、９３７、９３９、９４１、９４２、９４３、９４５、９４６、９４７、９４８、９５０、９５１、９５３、９５４、９５５、９５９、９６２、９６５、９６７、９６９、９７３、９７４、９７６、９７８、９８０、９８２、９８５、９８８、９９３、９９８、１０００、１００３、１００６、１００７、１００８、１００９、１０１０、１０１２、１０１６、１０２０、１０２１、１０２２、１０２３、１０２４、１０２５、１０２６、１０２７、１０２８、１０２９、１０３１、１０３２、１０３３、１０３５、１０３６、１０３７、１０３８、１０４２、１０４３、１０４５、１０４６、１０４７、１０５３、１０５７、１０５９、１０６０、１０６２、１０６３、１０６４、１０６５、１０６６、１０６７、１０７０、１０７２、１０７３、１０７５、１０７７、１０７８、１０８２、１０８３、１０８５、１０８９、１０９０、１０９１、１０９３、１０９５、１０９７、１０９９、１１０２、１１０４、１１０５、１１０７、１１１１、１１１３、１１１６、１１１７、１１２０、１１２１、１１２５、１１２６、１１２９、１１３１、１１３５、１１３６、１１３７、１１３８、１１３９、１１４０、１１４２、１１４３、１１４４、１１４５、１１４６、１１４７、１１４８、１１４９、表２の材料２、２３、１４１、１８５、２２７、２３０、２４６、２４８、３４３、３５９、５６５、６３１、６５９、６７４、６７８、６７９、７１５、７５８、１０２８、１０９７およびこれらの混合物からなる群から選択され、さらに好ましくは、前記材料は、表４の材料７、１４、３９、４８、１８３、１９９、２０６、２１２、２１５、２２９、２６０、２６１、２８１、３２９、３３５、３５３、３６０、４４１、４８４、４８７、４８８、５０１、５６６、５６７、５６９、５７０、５７３、５７４、６０３、６１６、６２１、６２４、６２７、６３２、６６３、６８０、６８４、６９４、６９６、７０８、７１２、７１４、７２６、７５０、７６４、７７５、７７６、７８８、８０４、８７２、９１９、９２７、９３３、９７８、１００７、１０２２、１０２４、１０２７、１０２９、１０３５、１０３８、１０６０、１０８９、１１０７、１１２９、１１３１、１１３６、１１３７、１１４０、１１４２、１１４３、１１４４、１１４５、１１４８、１１４９、表５の材料２４８からなる群から選択され、最も好ましくは、前記材料は、表４の材料２６１、６８０、７８８、１１２９、１１４８、１１４９およびこれらの混合物からなる群から選択される。
【００７０】
前記清浄組成物の一態様において、前記清浄組成物は、３以下のｌｏｇ  Ｐ、好ましくは、０．１〜３のｌｏｇ  Ｐを有する１つ以上の悪臭低減材料を含む悪臭低減材料を含み、好ましくは、前記１つ以上の悪臭低減材料は、表１の材料４；１６；１７；３４；３７；４２；４３；６１；６５；７０；８２；９８；１０６；１０８；１１０；１１２；１１３；１１７；１２６；１３０；１４１；１４３；１４６；１５５；１５６；１６７；１６８；１７０；１７９；１８７；１９０；１９３；１９９；２１８；２４７；２４９；２５４；２５６；２５９；２７８；２８１；２８６；２８８；３２１；３２３；３３２；３５０；３５３；３７３；３７４；３７５；３７７；３９４；４０７；４１７；４２５；４３６；４４５；４５０；４６４；４７４；４８５；４９３；５２７；５３０；５３１；５４６；５５１；５５３；５５５；５８０；５８１；５８６；５８７；５９５；６１２；６３６；６３８；６３９；６４９；６５５；６５８；７３０；７３３；７３６；７３８；７４２；７４８；７６７；７６８；７９２；８０３；８０７；８２４；８２９；８３３；８３４；８６４；８９７；９２３；９２８；９２９；９３７；９４６；９５５；９６２；９７４；９７６；９８２；９９３；１０１２；１０２０；１０２１；１０２６；１０３６；１０３７；１０５９；１０６４；１０６６；１０７２；１０８３；１０８５；１１１１；１１１７；１１２５；１１３９；１１４６；１９４；２；１４１；２０４；３；２２８；２６；３４；３７；４３；５３；６５；７０；７３；８２；８４；９６；９７；９８；１０６；１０７；１０８；１１０；１１５；１１６；１２５；１２６；１４３；１４６；１６３；１６６；１６９；１８７；１９４；１９８；２０１；２０５；２１３；２１４；２３９；２５４；２５５；２５６；２５８；２８２；２８４；２８６；２８８；３１４；３２３；３６５；３６６；３７４；３７５；３７６；３７９；４００；４０７；４１７；４１９；４３９；４４２；４４３；４７４；４８５；４９１；４９２；５２６；５２８；５３８；５４２；５４９；５５４；５５５；５５６；５７６；５７９；５８５；５８８；６１７；６３６；６３８；６４０；６４７；６５１；６６４；６６５；６９９；７０１；７３０；７４０；７４２；７４３；７６０；７６１；７７７；７８４；７８９；７９２；７９６；７９７；８０５；８０７；８１０；８１１；８１２；８１７；８３２；８３３；８４５；８４６；８５１；８５８；８６５；８８２；８８３；９０２；９１８；９２１；９３１；９３７；９４６；９５６；９７７；９８１；１００２；１００４；１０２０；１０２６；１０３６；１０３９；１０４０；１０４１；１０７１；１０７９；１０８４；１０９１；１０９８；１１１０；１１１１；１１１２；１１１９；１１２２；１１３３；１１３９；１１４６；およびこれらの混合物からなる群から選択され、さらに好ましくは、前記悪臭低減材料は、表１の材料４；１６；１７；３４；３７；４２；４３；６１；６５；７０；９８；１０６；１０８；１１０；１１２；１１３；１２６；１３０；１４１；１４３；１４６；１５５；１５６；１６７；１６８；１７０；１７９；１８７；１９０；１９３；１９９；２��８；２４７；２４９；２５６；２５９；２７８；２８１；２８６；２８８；３３２；３４７；３５０；３５３；３７３；３７４；３７５；３７７；３９４；４０７；４１５；４１７；４２５；４３６；４４５；２５４；２５６；２５８；１７８；４５０；４６４；４７４；４８５；４９１；４９３；２０５；２２８；２３１；５２７；５３０；５３１；５４６；５５１；５５３；５８０；５８１；５８６；５８７；５９５；６１２；６３８；６３９；６５５；６５８；６６８；６８３；７３０；７３３；７３８；７４２；７６７；７６８；７７２；７８６；７９２；８０３；８２４；８２９；８３４；８６４；８６５；８９７；９２３；９２４；９３７；９４６；９６２；９６９；９７４；９７６；９８０；９８２；１０２０；１０２１；１０２７；１０３６；１０３７；１０４２；１０５９；１０６４；１０８３；１０８５；１０９１；１１１１；１１１７；１１２５；１１３９；１１４６、表２の材料１４１およびこれらの混合物からなる群から選択され、最も好ましくは、前記悪臭低減材料は、表４の材料１９９；２８１；３５３；６２７；１０２７およびこれらの混合物からなる群から選択される。上述のすべての材料は、ｌｏｇ  Ｐが３未満であるため、清浄組成物の水相に留まり、これを含む溶液に長く留まり、硬質表面を良好に処理する。上述の材料のなかで、さらに好ましいもの、最も好ましいものは、鍵となるすべての悪臭を中和するのに効果的であるため、特に好ましい。
【００７１】
前記清浄組成物の一態様において、悪臭低減材料と前記１つ以上の香料原材料を合わせた合計重量を基準として、１０％未満、好ましくは、５％未満、さらに好ましくは、１％未満の前記悪臭低減材料および前記１つ以上の香料原材料が、不飽和アルデヒド部分を含む。
【００７２】
前記清浄組成物の一態様において、前記悪臭低減材料は、表１〜３の悪臭低減材料３０２；２８８；５０；１５７；１０１７；８８８；６４；１０５４；８３２；３７５；７４５；５０４；５０５；１４０；１０１２；４９８；１０３；３５６；９０８；１１２７；４７５；９１８；６８７；６１１；９；１４１；６０２；９１３；１００５；５２１；１０；２１５；３３５；３７８；３６０；５６５；１１３６；１１２９；６５５；３６９；９１４；７５７；４７８；８８９；８９１；３５８；９７３；１６２；５５４；５２２；１２５；２６；４１８；９２；５８６；１０２６；２１８；３１；８７１；８２９；１０６６；２８７；２６９；７６９；７０１；１１１８；７０；９４６；１４２；１０９；１０８またはこれらの混合物からなる群から選択されない。
【００７３】
前記清浄組成物の一態様において、悪臭低減材料と前記１つ以上の香料原材料を合わせた合計重量を基準として、５０％未満、好ましくは、２５％未満、さらに好ましくは、１５％未満の前記悪臭低減材料および前記１つ以上の香料原材料が、ｌｏｇ  Ｐが３以上を有し、好ましくは、前記組成物は水を含む。
【００７４】
前記清浄組成物の一態様において、前記組成物は、少なくとも１２個の炭素原子を含むイソアルカン、四級アミン部分を含む化合物、潤滑剤、さらなる溶媒グリコール、アルコール、シリコーン、防腐剤、抗菌剤、ｐＨ調整剤、キャリア、昆虫忌避剤、金属塩、シクロデキストリン、機能性ポリマー、消泡剤、酸化防止剤、酸化剤、キレート化剤およびこれらの混合物からなる群から選択される補助成分を含み、
（ａ）好ましくは、前記潤滑剤は、炭化水素、さらに好ましくは、２個以上の分岐を含む炭化水素を含む潤滑剤からなる群から選択される材料を含み、
（ｂ）好ましくは、四級アミン部分を含む化合物は、少なくとも１０個の炭素原子を含む。
【００７５】
出願人の清浄組成物を含むデバイスであって、前記デバイスが、好ましくは、トリガー式噴霧器、手動のエアロゾル噴霧器、自動エアロゾル噴霧器、芯を含有するデバイス、ファンデバイスおよびサーマルドロップオンデマンドデバイスからなる群から選択されるデバイスが開示される。
【００７６】
悪臭を制御する方法であって、悪臭を含む場所および／または悪臭を発生しそうな場所と、本明細書に記載する清浄組成物およびその混合物からなる群から選択される生成物とを接触させることを含む方法が開示される。
【００７７】
前記方法の一態様において、前記接触させる工程が、前記場所と、十分な量の本明細書に開示される組成物とを接触させ、前記臭気に対し、前記場所の計画された表面積１平方メートルあたり、約０．１ミリグラム（ｍｇ）〜約１０，０００ｍｇ、好ましくは、約１ｍｇ〜５，０００ｎｇ、最も好ましくは、約５ｍｇ〜約１０００ｍｇの前記総量の悪臭低減材料を与えることを含む。一態様において、少ない範囲の悪食低減材料は、多い量よりも良好に機能し、その場所が過剰に濃厚になるのを防ぐ。
【００７８】
移動系
カウンタートップ、テーブルおよび床を洗浄するために一般的に用いられるような本発明の組成物を、硬質表面洗浄剤と共に使用してもよい。適切な床洗浄液は、本譲受人によって、ＷｅｔＪｅｔの名称で交換可能な容器に入れて販売される。洗浄溶液は、特に、同一譲受人の米国特許第６，８１４，０８８号の教示に従って製造されてもよい。使い捨ての床シートと組み合わせて、容器を、床洗浄設備と共に使用し、床洗浄設備から分注されてもよい。適切なスプレー設備も、本譲受人によって、ＷｅｔＪｅｔの名称で販売される。適切な容器およびそのための備品は、同一譲受人の米国特許第６，３８６，３９２号および／または第７，１７２，０９９号の教示に従って製造されてもよい。床洗浄設備は、共有されているＵＳ  ２０１３／０３１９４６３号の教示に従って、蒸気を分注してもよい。または、再充填可能な容器を利用してもよい。
【００７９】
所望な場合、本発明の組成物を、あらかじめ湿らせたシートと共に使用してもよい。洗浄シートをあらかじめ湿らせた場合、好ましくは、目標とする表面（例えば、床）を洗浄する液体であらかじめ湿らせるが、洗浄後のすすぎ操作を必要としない。洗浄シートに、乾燥基材１グラムあたり、少なくとも１、１．５または２グラムの洗浄溶液を乗せてもよいが、典型的には、１グラムあたり５グラム以下であってもよい。同一譲受人のＵＳ  ６，７１６，８０５号の教示に従って、典型的にはすすぎ操作が存在しないため、洗浄溶液は、ストリーキングを最低限にする界面活性剤（例えば、ＡＰＧ界面活性剤）を含んでいてもよい。
【００８０】
Ｍｒ．ＣｌｅａｎおよびＭｒ．Ｐｒｏｐｅｒ．の名称で本譲受人によって販売されるような、盛り上がった固い表面のために本発明の組成物を使用してもよい。組成物を、当該技術分野でよく知られているように、トリガー噴霧器またはエアロゾル噴霧器から分注してもよい。エアロゾル噴霧器は、噴射剤の圧力を用いて組成物を分注し、一方、トリガー噴霧器は、手動での操作によって組成物を圧送することによって、組成物を分注する。適切なエアロゾル分注器は、バルブに浸漬管または袋を有していてもよく、同一譲受人のＵＳ  ２０１５／０１０８１６３号および／またはＵＳ  ２０１１／０３０３７６６号に従っていてもよい。適切なトリガー噴霧器は、同一譲受人のＵＳ  ８，３２２，６３１号に従っていてもよい。
【００８１】
補助材料
本発明の目的には必須でないが、以下に例示される補助剤の非限定的なリストは、本発明の組成物に使用するのに適しており、例えば、本発明の特定の態様に望ましく組み込まれ、混合物の相安定性を補助または向上させるために、布地への清浄組成物の移動を補助または向上させるために、生物学的汚染物質による清浄組成物の分解を防ぐために、さらなる利点を付け加えるために、または、香料、着色料、染料などの場合にように、組成物の審美性を変えてもよい。このような追加成分の正確な性質およびそれを組み込む濃度は、組成物の物理形態および使用される作業の性質に依存する。適切な補助材料としては、限定されないが、ｐＨ緩衝剤、可溶化助剤、抗菌剤、防腐剤、湿潤剤、溶媒、香料または他の成分が挙げられる。
【００８２】
上述の通り、補助成分は、本出願人らの組成物には必須ではない。したがって、出願人の組成物の特定の態様は、以下の補助材料の１つ以上を含まない。ｐＨ緩衝剤、可溶化助剤、抗菌剤、防腐剤、湿潤剤、溶媒、香料または他の成分。しかしながら、１つ以上の補助剤が存在する場合、かかる１つ以上の補助剤は、以下に詳述されるように存在することができる。
【００８３】
緩衝剤
本発明の清浄組成物は、緩衝剤を含んでいてもよく、緩衝剤は、カルボン酸、またはマレイン酸のようなジカルボン酸、クエン酸またはポリアクリル酸のような多塩基酸であってもよい。この酸は立体的に安定していてもよく、所望のｐＨを維持するために、本発明の組成物で使用してもよい。緩衝剤は、トリエタノールアミンのような塩基、またはクエン酸ナトリウムのような有機酸塩を含んでいてもよい。本発明の清浄組成物のｐＨは約３〜約８、あるいは約４〜約７、あるいは約５〜約８、あるいは約６〜約８、あるいは約６〜約７、あるいは約７、あるいは約６．５であってもよい。
【００８４】
クエン酸のようなカルボン酸は、金属イオンキレートとして機能する場合があり、水溶性の低い金属塩を形成することができる。このように、ある実施形態において、清浄組成物は、クエン酸を本質的に含まない。緩衝剤は、アルカリ性、酸性、または中性であってもよい。
【００８５】
本発明の清浄組成物用のその他の好適な緩衝剤としては、生物学的緩衝剤が挙げられる。いくつかの例は、窒素含有物質、３−（Ｎ−モルホリノ）プロパンスルホン酸（ＭＯＰＳ）またはＮ−（２−アセトアミド）−２−アミノエタンスルホン酸（ＡＣＥＳ）のようなスルホン酸緩衝剤であり、これらのｐＫａは中性付近の６．２〜７．５であり、中性のｐＨにおいて十分な緩衝力を発揮する。他の例は、リシンのようなアミノ酸、またはモノエタノールアミン、ジエタノールアミンおよびトリエタノールアミンのような低級アルコールアミンである。他の窒素含有緩衝剤は、トリ（ヒドロキシメチル）アミノメタン（ＨＯＣＨ２）３ＣＮＨ３（トリス）、２−アミノ−２−エチル−１，３−プロパンジオール、２−アミノ−２−メチル−プロパノール、２−アミノ−２−メチル−１，３−プロパノール、グルタミン酸二ナトリウム、Ｎ−メチルジエタノールアミド、２−ジメチルアミノ−２−メチルプロパノール（ＤＭＡＭＰ）、１，３−ビス（メチルアミン）−シクロヘキサン、１，３−ジアミノ−プロパノールＮ，Ｎ’−テトラ−メチル−１，３−ジアミノ−２−プロパノール、Ｎ，Ｎ−ビス（２−ヒドロキシエチル）グリシン（ビシン）、およびＮ−トリス（ヒドロキシメチル）メチルグリシン（トリシン）である。上記のいずれかの混合物も許容可能である。
【００８６】
清浄組成物は、緩衝剤をその組成物の少なくとも約０重量％、あるいは少なくとも約０．００１重量％、あるいは少なくとも約０．０１重量％含んでもよい。また、本発明の組成物は、緩衝剤をその組成物の約１％以下、あるいは約０．７５重量％以下、あるいは約０．５重量％以下含んでもよい。
【００８７】
可溶化剤
本発明の清浄組成物は、無色透明の溶液を生成するために、過剰な疎水性有機材料、特に、ある種の本発明の悪臭低減材料、香料材料、さらに、組成物に加えてもよいが、組成物に容易に溶解しない任意成分（例えば、害虫忌避剤、酸化防止剤など）を可溶化するために、可溶化助剤を含んでもよい。好適な可溶化助剤は、非起泡性または低起泡性界面活性剤のような界面活性剤である。好適な界面活性剤は、非イオン性界面活性剤、カチオン性界面活性剤、両性界面活性剤、双極性界面活性剤、およびこれらの混合物である。
【００８８】
ある実施形態において、清浄組成物は、非イオン性界面活性剤、カチオン性界面活性剤およびこれらの混合物を含有する。一実施形態において、本発明の清浄組成物は、エトキシル化された硬化ヒマシ油を含む。本組成物中で使用可能な１種類の好適な硬化ヒマシ油は、Ｂａｓｏｐｈｏｒ（商標）（ＢＡＳＦから入手可能）として販売される。
【００８９】
アニオン性界面活性剤および／または洗剤用界面活性剤を含む清浄組成物では、布地が汚れの影響を受けやすくなる場合があり、および／または、溶液が布地から蒸発すると、許容できない目に見える染みが布地上に残る場合がある。一部の実施形態において、清浄組成物は、アニオン性界面活性剤および／または洗剤用界面活性剤を含まない。
【００９０】
可溶化剤が存在するとき、可溶化剤は典型的には、清浄組成物の約０．０１重量％〜約３重量％、あるいは約０．０５重量％〜約１重量％、あるいは約０．０１重量％〜約０．０５重量％の濃度で存在する。
【００９１】
抗菌性化合物
本発明の清浄組成物は、空気中または無生物表面上の微生物を減少させる化合物を有効量含んでもよい。抗菌性化合物は、ヒトの皮膚またはペットと接触した室内表面（カウチ、枕、ペットの寝具およびカーペッ等）の上に典型的に存在するグラム陰性およびグラム陽性の菌および真菌に有効である。このような微生物種は、肺炎杆菌（Klebsiella pneumoniae）、黄色ブドウ球菌（Staphylococcus aureus）、黒カビ（Aspergillus niger）、肺炎杆菌（Klebsiella pneumoniae）、化膿レンサ球菌（Streptococcus pyogenes）、豚コレラ菌（Salmonella choleraesuis）、大腸菌（Escherichia coli）、毛瘡白癬菌（Trichophyton mentagrophytes）および緑膿菌（Pseudomonas aeruginosa）を含む。ある実施形態において、抗菌性化合物は、Ｈ１−Ｎ１、ライノウイルス、ＲＳウイルス、１型ポリオウイルス、ロタウイルス、Ａ型インフルエンザ、１型および２型単純ヘルペス、Ａ型肝炎およびヒトコロナウイルスのようなウイルスにも有効である。
【００９２】
本発明の清浄組成物に適した抗菌性化合物は、布地の外観を損傷（例えば、変色、黄変などの着色、脱色）させない任意の有機物質でもあることができる。水溶性抗菌性化合物としては、有機硫黄化合物、ハロゲン化化合物、環状有機窒素化合物、低分子量アルデヒド、四級化合物、デヒドロ酢酸、フェニルおよびフェノキシ化合物、またはこれらの混合物が挙げられる。
【００９３】
一実施形態において、四級化合物が使用される。清浄組成物に使用するのに適した市販の四級化合物の例は、Ｌｏｎｚａ  Ｃｏｒｐｏｒａｔｉｏｎから入手可能なＢａｒｑｕａｔ；Ｌｏｎｚａ  ＣｏｒｐｏｒａｔｉｏｎからＢａｒｄａｃ（登録商標）２２５０の商品名で販売されるジデシルジメチルアンモニウムクロリドクワットである。
【００９４】
抗菌性化合物は、清浄組成物の約５００重量ｐｐｍ〜約７０００重量ｐｐｍ、あるいは約１０００重量ｐｐｍ〜約５０００重量ｐｐｍ、あるいは約１０００重量ｐｐｍ〜約３０００重量ｐｐｍ、あるいは約１４００重量ｐｐｍ〜約２５００重量ｐｐｍの量で存在してもよい。
【００９５】
防腐剤
本発明の清浄組成物は防腐剤を含んでもよい。防腐剤は、本発明中に、所定期間にわたって腐敗を防ぐか、または、不注意にも入り込んでしまった微生物の増殖を防ぐのに十分であるが、清浄組成物の臭気中和性能に寄与するのに十分ではない量で含まれる。換言すれば、防腐剤は、微生物によって生じる臭気を消す目的で組成物を堆積させる表面上の微生物を殺す抗菌性化合物として使用されているのではない。むしろ、清浄組成物の貯蔵寿命を長くする目的で、清浄組成物の腐敗を防ぐために防腐剤が用いられる。
【００９６】
防腐剤は、布地の外観に損傷（例えば変色、着色、脱色）を生じさせない任意の有機防腐剤の物質であってもよい。好適な水溶性防腐剤としては、有機硫黄化合物、ハロゲン化化合物、環状有機窒素化合物、低分子量アルデヒド、パラベン、プロパンジオール物質、イソチアゾリノン、四級化合物、ベンゾエート、低分子量アルコール、デヒドロ酢酸、フェニルおよびフェノキシ化合物、またはこれらの混合物が挙げられる。
【００９７】
本発明で使用するための市販の水溶性防腐剤の非限定的な例とは、Ｒｏｈｍ  ａｎｄ  Ｈａａｓ  Ｃｏ．によってＫａｔｈｏｎ（登録商標）ＣＧの商品名で１．５％水溶液として入手可能な防腐剤である、約７７％の５−クロロ−２−メチル−４−イソチアゾリン−３−オンと約２３％の２−メチル−４−イソチアゾリン−３−オンの混合物；ＨｅｎｋｅｌからＢｒｏｎｉｄｏｘ  Ｌ（登録商標）の商品名で入手可能な５−ブロモ−５−ニトロ−１，３−ジオキサン；ＩｎｏｌｅｘからＢｒｏｎｏｐｏｌ（登録商標）の商品名で入手可能な２−ブロモ−２−ニトロプロパン−１，３−ジオール；クロロヘキシジンおよび例えば、酢酸およびジグルコン酸を用いたその塩として一般的に知られる、１，１’−ヘキサメチレンビス（５−（ｐ−クロロフェニル）ビグアニド；ＬｏｎｚａからＧｌｙｄａｎｔ  Ｐｌｕｓ（登録商標）の名称で入手可能な、１，３−ビス（ヒドロキシメチル）−５，５−ジメチル−２，４−イミダゾリジンジオンと３−ブチル−２−ヨードプロピニルカルバメートの９５：５混合物；Ｓｕｔｔｏｎ  Ｌａｂｏｒａｔｏｒｉｅｓ，Ｉｎｃ．からＧｅｒｍａｌｌ（登録商標）の商品名で入手可能であり、ジアゾリジニルウレアとして一般的に知られる、Ｎ−［１，３−ビス（ヒドロキシメチル）２，５−ジオキソ−４−イミダゾリジニル］−Ｎ，Ｎ’−ビス（ヒドロキシ−メチル）ウレア；イミダゾリジニルウレアとして一般的に知られる、例えば、Ａｂｉｏｌ（登録商標）の商品名で３Ｖ−Ｓｉｇｍａから、Ｕｎｉｃｉｄｅ  Ｕ−１３（登録商標）の商品名でＩｎｄｕｃｈｅｍから、Ｇｅｒｍａｌｌ  １１５（登録商標）の商品名でＳｕｔｔｏｎ  Ｌａｂｏｒａｔｏｒｉｅｓ，Ｉｎｃ．から入手可能なＮ，Ｎ”−メチレンビス｛Ｎ’−［１−（ヒドロキシメチル）−２，５−ジオキソ−４−イミダゾリジニル］ウレア｝；Ｎｕｏｓｅｐｔ（登録商標）Ｃの商品名でＨｕｅｌｓ  Ａｍｅｒｉｃａから入手可能なポリメトキシ二環オキサゾリジン；ホルムアルデヒド；グルタルアルデヒド；Ｃｏｓｍｏｃｉｌ  ＣＱ（登録商標）の商品名でＩＣＩ  Ａｍｅｒｉｃａｓ，Ｉｎｃ．から入手可能であるか、またはＭｉｋｒｏｋｉｌｌ（登録商標）の商品名でＢｒｏｏｋｓ，Ｉｎｃから入手可能なポリアミノプロピルビグアニドデヒドロ酢酸；およびＫｏｒａｌｏｎｅＴＭＢ−１１９の商品名でＲｏｈｍ  ａｎｄ  Ｈａｓｓ  Ｃｏｒｐｏｒａｔｉｏｎから入手可能なベンズイソチアゾリノンが挙げられる。
【００９８】
防腐剤の好適な濃度は、清浄組成物の約０．０００１重量％〜約０．５重量％、あるいは約０．０００２重量％〜約０．２重量％、あるいは約０．０００３重量％〜約０．１重量％である。
【００９９】
本発明の清浄組成物は、ポリエステルおよびナイロンのような疎水性表面上に、清浄組成物が容易かつより均一に広がるような低い表面張力を与える湿潤剤を含んでもよい。本発明の水溶液は、このような湿潤剤がないと、十分には広がらないことがわかっている。本組成物によって処理した物質をユーザーがすぐに使える状態にできるように、組成物が広がることによって、組成物がより速く乾く。さらに、湿潤剤を含有する組成物は、改良された悪臭中和のために、疎水性の油性汚れによりよく浸透するだろう。湿潤剤を含有する組成物は、「衣服着用中」の静電気制御性を向上させることもできる。濃縮組成物では、湿潤剤は、濃縮水性組成物中の抗菌性活性物質および香料のような多くの活性物質の分散を促す。
【０１００】
湿潤剤の非限定的な例としては、エチレンオキシドとプロピレンオキシドのブロックコポリマーが挙げられる。好適なブロックポリオキシエチレン−ポリプロピレンポリマー界面活性剤としては、初期の反応性水素化合物として、エチレングリコール、プロピレングリコール、グリセロール、トリメチロールプロパンおよびエチレンジアミンに基づくものが挙げられる。初期化合物とＣ12~18脂肪族アルコールなどの単一の反応性水素原子との連続したエトキシル化およびプロポキシル化によって作られるポリマー化合物は、一般に、シクロデキストリンと相溶性ではない。ＢＡＳＦ−Ｗｙａｎｄｏｔｔｅ  Ｃｏｒｐ．（ワイアンドット、ミシガン）によってＰｌｕｒｏｎｉｃ（登録商標）およびＴｅｔｒｏｎｉｃ（登録商標）と命名された特定のブロックポリマー界面活性剤化合物は、容易に入手可能である。
【０１０１】
この種の湿潤剤の非限定的な例は、米国特許第５，７１４，１３７号に記載されており、例えば、Ｍｏｍｅｎｔｉｖｅ  Ｐｅｒｆｏｒｍａｎｃｅ  Ｃｈｅｍｉｃａｌ，Ａｌｂａｎｙ，Ｎｅｗ  Ｙｏｒｋから入手可能なＳｉｌｗｅｔ（登録商標）界面活性剤が挙げられる。例示的なＳｉｌｗｅｔ界面活性剤は、以下の通りである。
【０１０２】
【表９】
2020000884.tif 000046
およびこれらの混合物。
【０１０３】
本発明の別の態様において、清浄組成物は、布地を回復させ、例えば、その表面の外観（しわの減少、改良された色外観、改良または回復された布地の形状）を回復させる。布地の外観の回復に役立つ補助成分は、安定で分離しない組成物を生成するのに必要な界面活性剤、乳化剤および溶媒と合わせて、水溶性または混和性の四級アンモニウム界面活性剤および水不溶性油成分から選択される。ある種の非限定的な好ましい乳化剤は、ソルビタンエステル、およびアルキレンオキシドで修飾されたソルビタンエステル、例えば、Ｔｗｅｅｎ（登録商標）２０ポリオキシエチレン（２０）ソルビタンモノラウレート、分岐型界面活性剤、例えばＧｕｅｒｂｅｔアルコール、またはＧｕｅｒｂｅｔアルコールで修飾されたアルキレンオキシド、例えば、Ｌｕｔｅｎｓｏｌ（登録商標）ＸＬ  ７０（オキシラン，モノ（２−プロピルヘプチル）エーテルを有するオキシラン，２−メチル−，ポリマー、ＢＡＳＦ）である。本発明のこの態様において、湿潤剤を含むことは任意であるが、好ましい。湿潤剤は、組成物を広げるのに役立ち、噴霧中の組成物の起泡を減らすのに役立つ。ある種の好ましい湿潤剤としては、超湿潤剤として当該技術分野で知られる種類の湿潤剤が挙げられる。理論によって束縛されないが、超湿潤剤は、表面に非常に効率よく充填され、きわめて低い平衡表面張力が得られる。このような界面活性剤の非限定的な例としては、Ｓｕｒｆｙｎｏｌ（登録商標）４６５およびＳｕｒｆｙｎｏｌ（登録商標）１０４ＰＧ  ５０（Ｄｏｗ  Ｃｈｅｍｉｃａｌｓ）のようなＳｕｒｆｙｎｏｌｓ（登録商標）が挙げられる。
【０１０４】
水溶性または混和性の四級アンモニウム界面活性剤：
典型的には、本発明の組成物に含まれる最低濃度の水溶性クアットは、組成物の合計重量を基準として、少なくとも約０．０１重量％、好ましくは、少なくとも約０．０５重量％、さらに好ましくは、少なくとも約０．１重量％、さらになお好ましくは、少なくとも約０．２重量％である。典型的には、組成物に含まれる最大濃度の水溶性四級剤は、組成物の合計重量を基準として、約２０％まで、好ましくは、約１０％未満、さらに好ましくは、約３％未満である。典型的には、水溶性四級剤は、組成物中に約０．２％〜約１．０％の量で存在する。
【０１０５】
具体的には、好ましい水溶性四級化合物は、ジアルキル四級界面活性剤化合物である。適切な四級界面活性剤としては、限定されないが、下式を有する四級アンモニウム界面活性剤が挙げられ、
【０１０６】
【化１】
2020000884.tif 000047
式中、Ｒ1およびＲ2は、独立して、Ｃ1〜Ｃ4アルキル、Ｃ1〜Ｃ4ヒドロキシアルキル、ベンジルおよび−（Ｃ2Ｈ4Ｏ）xＨからなる群から選択され、ｘは、約２〜約５の値を有し；Ｘは、アニオンであり；（１）Ｒ3およびＲ4は、それぞれ、Ｃ6〜Ｃ14アルキルであるか、または（２）Ｒ3は、Ｃ6〜Ｃ18アルキルであり、Ｒ4は、Ｃ1〜Ｃ10アルキル、Ｃ1〜Ｃ10ヒドロキシアルキル、ベンジルおよび−（Ｃ2Ｈ4Ｏ）xＨからなる群から選択され、ｘは、２〜５の値を有する。本発明において好ましい非対称性四級化合物は、Ｒ３およびＲ４が同一ではなく、好ましくは一方が分枝状で、もう一方が直鎖状の化合物である。
【０１０７】
非対称性四級化合物の一例は、Ｘがメチルサルフェートイオンであり、Ｒ１およびＲ２がメチル基であり、Ｒ３が、モノ不飽和部が５％未満の水素添加タロー基であり、Ｒ４が２−エチルヘキシル基である、ＡＲＱＵＡＤ  ＨＴＬ８−ＭＳである。ＡＲＱＵＡＤ  ＨＴＬ８−ＭＳは、オランダのＡｒｎｈｅｍのＡｋｚｏ  Ｎｏｂｅｌ  Ｃｈｅｍｉｃａｌから入手できる。
【０１０８】
対称性四級化合物の一例は、Ｘが炭酸塩および重炭酸塩であり、Ｒ１およびＲ２がメチル基であり、Ｒ３およびＲ４がＣ１０アルキル基である、ＵＮＩＱＵＡＴ  ２２ｃ５０である。ＵＮＩＱＵＡＴ  ２２ｃ５０は、北アメリカのＬｏｎｚａの登録商標であり、アレンデール、ニュージャージーのＬｏｎｚａ  Ｉｎｃｏｒｐｏｒａｔｅｄから入手可能である。
【０１０９】
適切な水溶性四級化合物の別の例は、Ｌｏｎｚａから入手可能であり、以下の構造を有するＮ−セチルエチルモルホリニウムエトサルフェートであるＢＡＲＱＵＡＴ  ＣＭＥ−３５である。
【０１１０】
【化２】
2020000884.tif 000048
【０１１１】
油成分
本発明の油成分は、マイクロエマルションによって組成物に組み込まれる実質的に水不溶性の材料を表す。前記油成分は、非香料原材料であり、非悪臭低減材料である。典型的には、組成物に含まれる油成分の最小濃度は、少なくとも約０．００１％、好ましくは、少なくとも約０．００５％、さらに好ましくは、少なくとも約０．０１％であり、典型的には、油成分の最大濃度は、約５％まで、好ましくは、約３％未満、さらに好ましくは、１．５未満であり；典型的な濃度は、約０．０５％〜約１％の範囲である。油成分は、単一成分または混合物であってもよく、通常は、ある種の有益剤を組成物に組み込むことを表し、例えば、非限定的な例は、柔軟性またはしわ低減／開放の利益を与える。典型的には、油成分は、置換または非置換の炭化水素などを含む。噴霧製品のために、組成物への組み込みを容易にし、乾燥したときにノズルが詰まる可能性を減らすために、油成分または混合物が室温で液体であることが好ましい。
【０１１２】
本発明の油成分は、実質的に水不溶性であり、マイクロエマルションを形成する。実質的に水不溶性とは、成分のｌｏｇ  Ｐが約１より大きいことを意味する。約１のｌｏｇ  Ｐは、その成分が、水よりもオクタノールに約１０倍分配される傾向があることを示す。油混合物中のいくつかの好ましいが、非限定的な構成要素は、分岐した炭化水素であり、香料が使用されるときは、香料である。
【０１１３】
水性キャリア
本発明の清浄組成物は水性キャリアを含んでもよい。使用される水性キャリアは、蒸留水、脱イオン水または水道水であってもよい。水は、水溶液である組成物に任意の量で存在していてもよい。ある実施形態において、水は、前記清浄組成物の約８５％〜９９．５％、または約９０％〜約９９．５％、または約９２％〜約９９．５％、または約９５％の量で存在していてもよい。少量の低分子量一価アルコール（例えば、エタノール、メタノールおよびイソプロパノール）またはポリオール（例えば、エチレングリコールおよびプロピレングリコール）を含有する水も有用な場合がある。しかし、揮発性低分子量一価アルコール（例えば、エタノールおよび／またはイソプロパノール）は、これらの揮発性有機化合物が、燃焼性の問題および環境汚染の問題の両方に寄与し得るため、限定されるべきである。少量の低分子量一価アルコールが、本発明の組成物中に存在する場合、香料およびある種の防腐剤のための安定化剤としてのこれらのアルコールの添加に起因して、一価アルコールの濃度は、清浄組成物の１重量％〜約５重量％、または約６重量％未満、または約３重量％未満、または約１重量％未満であってもよい。
【０１１４】
他の成分
また清浄組成物は、快楽効果を供給するだけの（すなわち、悪臭を中和しないが、快い香りは供給する）香料原材料を含んでもよい。適切な香料は、米国特許第６，２４８，１３５号に開示され、その全体が参考として本明細書に組み込まれる。例えば、清浄組成物は、悪臭を中和するための揮発性アルデヒドと快楽をもたらす香料アルデヒドの混合物を含んでよい。
【０１１５】
本発明の清浄組成物に悪臭制御成分中の揮発性アルデヒド以外の香料が配合される場合、香料と悪臭制御成分中の揮発性アルデヒドの総量は、清浄組成物の約０．０１５重量％〜約１重量％、あるいは約０．０１重量％〜約０．５重量％、あるいは約０．０１５重量％〜約０．３重量％であってよい。
【０１１６】
清浄組成物はさらに希釈剤を含んでもよい。例示的な希釈剤としては、ジプロピレングリコールメチルエーテルおよび３−メトキシ−３−メチル−１−ブタノールおよびこれらの混合物が挙げられる。
【０１１７】
場合により、既知の目的のために、本発明の清浄組成物に補助剤を加えてもよい。このような補助剤としては、限定されないが、亜鉛塩、銅塩およびこれらの混合物を含む水溶性金属塩；静電防止剤；昆虫および蛾の忌避剤；着色剤；酸化防止剤；アロマセラピー剤およびこれらの混合物が挙げられる。
【０１１８】
清浄組成物は、本発明の悪臭低減組成物に加え、他の悪臭低減技術を含んでいてもよい。限定されないが、アミン官能性ポリマー、金属イオン、シクロデキストリン、シクロデキストリン誘導体、ポリオール、酸化剤、活性炭およびこれらの組み合わせが挙げられるだろう。
【０１１９】
香料移動技術
本発明の組成物は、処理された基材からの香料成分の堆積および放出を安定化し、高める１つ以上の香料移動技術を含んでいてもよい。このような香料移動技術を使用し、処理された基材から香料が放出する寿命を長くすることもできる。香料移動技術、特定の香料移動技術を製造する方法、およびこの種の香料移動技術の使用は、米国特許出願公開第２００７／０２７５８６６（Ａ１）号に開示されている。
【０１２０】
一態様において、本発明の組成物は、約０．００１％〜約２０％、または約０．０１％〜約１０％、または約０．０５％〜約５％、またはさらに、約０．１％〜約０．５％の香料移動技術を含んでいてもよい。一態様において、前記香料移動技術は、香料マイクロカプセル、プロ香料、ポリマー粒子、官能基化されたシリコーン、ポリマー支援型移動、分子支援型移動、繊維支援型移動、アミン支援型移動、シクロデキストリン、デンプンに包まれたアコード（accord）、ゼオライトおよび無機キャリア、およびこれらの混合物からなる群から選択されてもよい。
【０１２１】
一態様において、前記香料移動技術は、有益剤を壁材料で少なくとも部分的に包み込むことによって作られる香料マイクロカプセルを含んでいてもよい。前記有益剤は、３−（４−ｔ−ブチルフェニル）−２−メチルプロパナール、３−（４−ｔ−ブチルフェニル）−プロパナール、３−（４−イソプロピルフェニル）−２−メチルプロパナール、３−（３，４−メチレンジオキシフェニル）−２−メチルプロパナール、および２，６−ジメチル−５−ヘプテナール、α−ダマスコン、β−ダマスコン、δ−ダマスコン、β−ダマセノン、６，７−ジヒドロ−１，１，２，３，３−ペンタメチル−４（５Ｈ）−インダノン、メチル−７，３−ジヒドロ−２Ｈ−１，５−ベンゾジオキセピン−３−オン、２−［２−（４−メチル−３−シクロヘキセニル−１−イル）プロピル］シクロペンタン−２−オン、２−ｓｅｃ−ブチルシクロヘキサノン、およびβ−ジヒドロイオノン、リナロール、エチルリナロール、テトラヒドロリナロール、およびジヒドロミルセノールのような香料からなる群から選択される材料を含んでいてもよい。好適な香料材料は、Ｇｉｖａｕｄａｎ  Ｃｏｒｐ．（Ｍｏｕｎｔ  Ｏｌｉｖｅ，Ｎｅｗ  Ｊｅｒｓｅｙ，ＵＳＡ）、Ｉｎｔｅｒｎａｔｉｏｎａｌ  Ｆｌａｖｏｒｓ  ＆  Ｆｒａｇｒａｎｃｅｓ  Ｃｏｒｐ．（Ｓｏｕｔｈ  Ｂｒｕｎｓｗｉｃｋ，Ｎｅｗ  Ｊｅｒｓｅｙ，ＵＳＡ）、またはＱｕｅｓｔ  Ｃｏｒｐ．（Ｎａａｒｄｅｎ，Ｎｅｔｈｅｒｌａｎｄｓ）から入手することができる。一態様において、マイクロカプセルの壁材料は、メラミン、ポリアクリルアミド、シリコーン、シリカ、ポリスチレン、ポリウレア、ポリウレタン、ポリアクリレート系材料、ゼラチン、スチレン無水リンゴ酸、ポリアミド、およびこれらの混合物を含んでいてもよい。一態様において、前記メラミン壁材料は、ホルムアルデヒドで架橋したメラミン、ホルムアルデヒドで架橋したメラミン−ジメトキシエタノール、およびこれらの混合物を含んでいてもよい。一態様において、前記ポリスチレン壁材料は、ジビニルベンゼンで架橋したポリスチレンを含んでいてもよい。一態様において、前記ポリウレア壁材料は、ホルムアミドで架橋した尿素、グルタルアルデヒドで架橋した尿素、およびこれらの混合物を含んでいてもよい。一態様において、上記ポリアクリレート系材料は、メチルメタクリレート／ジメチルアミノメチルメタクリレートから形成されたポリアクリレート、アミンアクリレートおよび／またはメタクリレートと強酸とから形成されたポリアクリレート、カルボン酸アクリレートおよび／またはメタクリレートモノマーと強塩基とから形成されたポリアクリレート、アミンアクリレートおよび／またはメタクリレートモノマーとカルボン酸アクリレートおよび／またはカルボン酸メタクリレートモノマーとから形成されたポリアクリレート、およびこれらの混合物を含んでいてもよい。一態様において、香料マイクロカプセルは、堆積助剤、カチオン性ポリマー、非イオン性ポリマー、アニオン性ポリマー、またはこれらの混合物でコーティングされていてもよい。好適なコーティングは、ポリビニルホルムアルデヒド、部分ヒドロキシル化ポリビニル、ホルムアルデヒド、ポリビニルアミン、ポリエチレンイミン、エトキシル化ポリエチレンイミン、ポリビニルアルコール、ポリアクリレート、およびこれらの組み合わせからなる群から選択されてもよい。一態様において、マイクロカプセルは、香料マイクロカプセルを含んでもよい。一態様において、１種類以上のマイクロカプセル（例えば、異なる有益剤を含む２種類のマイクロカプセル）を使用してもよい。
【０１２２】
一態様において、前記香料送達技術は、アミン反応製品（ＡＲＰ）またはチオ反応製品を含んでいてもよい。アミン官能基および／またはチオ官能基が１つ以上のＰＲＭと予備反応して反応生成物を生成することから、「反応性」ポリマー性アミンまたはポリマーチオールという呼び方をすることもできる。典型的には、反応性アミンは、一級および／または二級アミンであり、ポリマーの一部であってもモノマー（非ポリマー）であってもよい。また、このようなＡＲＰは、さらなるＰＲＭと混合されてポリマー支援型送達効果および／またはアミン支援型送達効果を提供することもできる。ポリマー性アミンの非限定的な例としては、ポリエチレンイミン（ＰＥＩ）などのポリアルキルイミン、またはポリビニルアミン（ＰＶＡｍ）に基づくポリマーが挙げられる。モノマー（非ポリマー）アミンの非限定的な例としては、ヒドロキシルアミン（例えば、２−アミノエタノール）およびそのアルキル置換誘導体、ならびに香料族アミン（例えば、アントラニレート）が挙げられる。ＡＲＰは、香料とあらかじめ混合しておいてもよく、リーブオン用途またはリンスオフ用途では別個に添加してもよい。別の態様において、例えば、酸素、リンまたはセレンなどの窒素および／または硫黄以外のヘテロ原子を含有する物質をアミン化合物の代わりに使用することができる。さらに別の態様では、前述の代替化合物をアミン化合物と併用してもよい。さらなる別の態様では、１つの分子が、アミン部分と、代替ヘテロ原子部分（例えば、チオール、ホスフィン、およびセレノール）のうちの１つ以上とを含有していてよい。その効果としては、香料の送達が向上すること、ならびに香料の放出制御が挙げられる。好適なＡＲＰならびにその製造方法は、米国特許出願第２００５／０００３９８０（Ａ１）号および米国特許第６，４１３，９２０（Ｂ１）号に見ることができる。
【０１２３】
空気および布地を清浄する送達形態
本発明の組成物を、大気または不活性表面（例えば、布地清浄剤としての布地表面）に揮発性物質を運ぶためのデバイスに使用してもよい。このようなデバイスを、種々の様式で構築してもよい。
【０１２４】
例えば、このデバイスは、通電された空気清浄機（すなわち、電気、または化学反応によって動く。例えば、触媒燃料系、または太陽電池によって動くなど）として使用するように構成されていてもよい。例示的な通電された空気清浄デバイスとしては、加熱要素、ファンアセンブリなどを含んでいてもよい電力移動補助手段が挙げられる。さらに特定的には、デバイスは、米国特許第７，２２３，３６１号に記載される電源プラグ型の空気清浄機；加熱要素および／またはファン要素を備える電池（再充電可能な電池）によって働く空気清浄機であってもよい。通電されたデバイスにおいて、揮発性材料移動エンジンを、揮発性芳香材料を核酸するための電力移動補助手段の近くに配置してもよい。移動補助手段を最適に拡散するために、揮発性芳香材料を配合してもよい。
【０１２５】
通電されていない空気清浄機として使用するために、デバイスを構成してもよい。例示的な通電されていない空気清浄機は、材料を揮発させ、受動的に（すなわち、通電手段を備えていない）空気に拡散するのを補助するような容器、および場合により、毛細管手段または吸い取り手段、または発散する表面を含む。さらに具体的な例としては、米国特許第８，７０９，３３７号および第８，９３１，７１１号に開示されるように、揮発性材料を入れるための液体容器を備える移動エンジン、液体容器を閉じ込めるための多孔性膜が挙げられる。
【０１２６】
デバイスは、従来のトリガー噴霧器および事前の圧縮および／または中の流体のためのバッファー系を有するトリガー噴霧器を含め、エアロゾル−噴霧器またはノナエアロゾル噴霧器として使用するように構成されてもよい。この実施形態では、送達エンジンは、ユーザーの要望時に、または自動的に大気に揮発性材料を送達するプログラムによって、揮発性材料を送達することができる。
【０１２７】
装置はまた、精製された空気および揮発性材料の両方を大気に送達するために、空気浄化システムと共に使用するために構成されてもよい。非限定的な例には、小さな空間（例えば、寝室、バスルーム、自動車等）、および家全体の集中空調／暖房（例えばＨＶＡＣ）における使用のために、イオン化および／または濾過技術を使用する空気浄化システムが挙げられる。
【０１２８】
試験方法
混合物、限定されないが、最終製品（例えば、消費成否に）から悪臭低減材料を分離し、ＧＣ−ＭＳおよび／またはＮＭＲを含む分析方法によって同定してもよい。
【０１２９】
粘度試験方法
直径４０ｍｍの平行な鋼鉄板と、５００μｍのギャップサイズを用い、ＴＡ  ｉｎｓｔｒｕｍｅｎｔｓ（ニューキャッスル、ＤＥ、ＵＳＡ）製のＡＲ  ５５０レオメーター／粘度計を用い、粘度を測定する。２０ｓ-1での高い剪断粘度は、対数剪断速度を０．１ｓ-1〜２５ｓ-1まで２１℃で３分間かけて変えることによって得られる。
【０１３０】
飽和蒸気圧（ＶＰ）を決定するための試験方法
試験する芳香混合物中の各ＰＲＭについて、飽和蒸気圧（ＶＰ）値を計算する。個々のＰＲＭのＶＰは、Ａｄｖａｎｃｅｄ  Ｃｈｅｍｉｓｔｒｙ  Ｄｅｖｅｌｏｐｍｅｎｔ  Ｉｎｃ．（ＡＣＤ／Ｌａｂｓ）（トロント、カナダ）から入手可能なＶＰ  Ｃｏｍｐｕｔａｔｉｏｎａｌ  Ｍｏｄｅｌ、バージョン１４．０２（Ｌｉｎｕｘ）を用いて計算され、ｔｏｒｒの単位で表される２５°でのＶＰ値を与える。ＡＣＤ／実験室の蒸気圧モデルは、ＡＣＤ／実験室モデルの装置の一部である。
【０１３１】
オクタノール／水分配係数の対数（ｌｏｇＰ）を決定するための試験方法
試験する芳香混合物中の各ＰＲＭについて、オクタノール／水の分配係数のｌｏｆ値（ｌｏｇＰ）を計算する。個々のＰＲＭのｌｏｇＰ値は、Ａｄｖａｎｃｅｄ  Ｃｈｅｍｉｓｔｒｙ  Ｄｅｖｅｌｏｐｍｅｎｔ  Ｉｎｃ．（ＡＣＤ／Ｌａｂ）（トロント、カナダ）から入手可能なＣｏｎｓｅｎｓｕｓ  ｌｏｇＰ  Ｃｏｍｐｕｔａｔｉｏｎａｌ  Ｍｏｄｅｌ、バージョン１４．０２（Ｌｉｎｕｘ）を用いて計算され、無単位のｌｏｇＰ値が得られる。ＡＣＤ／ＬａｂのＣｏｎｓｅｎｓｕｓ  ｌｏｇＰ  Ｃｏｍｐｕｔａｔｉｏｎａｌ  Ｍｏｄｅｌは、ＡＣＤ／実験室モデルの装置の一部である。
【０１３２】
分子記述子の作成のための試験方法
本明細書に記載するコンピュータによる値試験方法に関与する計算を行うために、必要な最初の情報は、試験する芳香中の各ＰＲＭの属性、芳香の割合としての重量％、モル％を含み、芳香組成物中のすべてのＰＲＭが計算に含まれる。さらに、これらのＰＲＭそれぞれについて、本明細書に記載する分子記述子の作成のための試験方法に従って決定されるように、分子構造、種々のコンピュータによって誘導される分子記述子の値も必要である。
【０１３３】
芳香混合物または組成物中の各ＰＲＭについて、その分子構造を使用し、種々の分子記述子を計算する。分子構造は、Ａｍｅｒｉｃａｎ  Ｃｈｅｍｉｃａｌ  Ｓｏｃｉｅｔｙ（コロンブス、オハイオ、米国）の一部門であるＣｈｅｍｉｃａｌ  Ａｂｓｔｒａｃｔ  Ｓｅｒｖｉｃｅ（「ＣＡＳ」）によって与えられるグラフィック分子構造図によって決定される。これらの分子構造は、各ＰＲＭのインデックス名またはＣＡＳ番号を探すことによって、ＣＡＳ  Ｃｈｅｍｉｃａｌ  Ｒｅｇｉｓｔｒｙ  Ｓｙｓｔｅｍデータベースから得てもよい。ＰＲＭについて、その試験がＣＡＳ  Ｃｈｅｍｉｃａｌ  Ｒｅｇｉｓｔｒｙ  Ｓｙｓｔｅｍデータベースにまだ列挙されていない場合には、他のデータベースまたは情報源を使用し、その構造を決定してもよい。潜在的に１つより多い異性体が存在するＰＲＭの場合、分子記述子の計算は、ＰＲＭを表すように選択される異性体の１つの分子構造を用いて行われる。異性体の選択は、異性体の分子構造の相対的な伸長量によって決定される。この異性体は、所与のＰＲＭのすべての異性体の中で、ＰＲＭを表すために選択される最も関係がある異性体である。ＰＲＭの他の潜在的な異性体の構造は、この計算から除外される。最も関係がある異性体の分子構造を、ＰＲＭの濃度と組み合わせ、この濃度は、存在するＰＲＭのすべての異性体の存在を反映している。
【０１３４】
分子エディターまたは分子スケッチングソフトウエアプログラム、例えば、ＣｈｅｍＤｒａｗ（ＣａｍｂｒｉｄｇｅＳｏｆｔ／ＰｅｒｋｉｎＥｌｍｅｒ  Ｉｎｃ．，Ｗａｌｔｈａｍ，Ｍａｓｓａｃｈｕｓｅｔｔｓ，Ｕ．Ｓ．Ａ．）を使用し、各ＰＲＭを表す二次元分子構造を複製する。分子構造は、接続していないフラグメント（例えば、対イオンを含まない単一構造）を有する中性種として表されるべきである（四級窒素原子は許容される）。以下に記載するｗｉｎＭｏｌｃｏｎｎプログラムは、適切な数の水素原子を加えることによって、脱プロトン化された官能基を中性形態に変換することができ、対イオンを捨てるだろう。
【０１３５】
各ＰＲＭの場合、分子スケッチングソフトウエアを使用し、ＰＲＭの分子構造を記述するファイルを作成する。その後、各ＰＲＭの種々の分子記述子を誘導するために、ＰＲＭの分子構造を記述するファイルは、コンピュータソフトウエアプログラムｗｉｎＭｏｌｃｏｎｎ、バージョン１．０．１．３（Ｈａｌｌ  Ａｓｓｏｃｉａｔｅｓ  Ｃｏｎｓｕｌｔｉｎｇ，Ｑｕｉｎｃｙ，Ｍａｓｓａｃｈｕｓｅｔｔｓ，Ｕ．Ｓ．Ａ．、ｗｗｗ．ｍｏｌｃｏｎｎ．ｃｏｍ）に伝達される。このように、ｗｉｎＭｏｌｃｏｎｎソフトウエアプログラムは、許容範囲の選択しである構造の記述方法とファイルフォーマットを示す。これらの選択肢としては、ＭＡＣＣＳ  ＳＤＦフォーマット化されたファイル（すなわち、Ｓｔｒｕｃｔｕｒｅ−Ｄａｔａ  Ｆｉｌｅ）；またはＳｉｍｐｌｉｆｉｅｄ  Ｍｏｌｅｃｕｌａｒ  Ｉｎｐｕｔ  Ｌｉｎｅ  Ｅｎｔｒｙ  Ｓｐｅｃｉｆｉｃａｔｉｏｎ（すなわち、ＳＭＩＬＥＳストリング構造ラインの記述法）のいずれかが挙げられ、単純なテキストファイルに、「．ｓｍｉ」または「．ｔｘｔ」の拡張子と共に一般的に使用される。ＳＤＦファイルは、マルチラインレコードのフォーマットでそれぞれの分子構造を表し、一方、ＳＭＩＬＥＳ構造のためのｓｙｎｔａｘは、白いスペースが存在しない単一のテキスト列である。ＳＭＩＬＥＳストリングの後の同じ列に構造名または識別子を加え、空間によって分割することによって、ＳＭＩＬＥＳストリングに構造名または識別子を加えてもよい（例えば、Ｃ１＝ＣＣ＝ＣＣ＝Ｃ１ベンゼン）。
【０１３６】
ｗｉｎＭｏｌｃｏｎｎソフトウエアプログラムを使用し、各ＰＲＭについて多くの分子記述子を作成し、次いで、これを表のフォーマットで出力する。その後、ｗｉｎＭｏｌｃｏｎｎによって誘導される具体的な分子識別子を、各ＰＲＭについて、飽和蒸気圧（ＶＰ）；沸点（ＢＰ）；オクタノール／水分配係数の対数（ｌｏｇＰ）；臭気検出閾値（ＯＤＴ）；悪臭低減値（ＭＯＲＶ）；および／または普遍的な悪臭低減値（Ｕｎｉｖｅｒｓａｌ  ＭＯＲＶ）のような値を計算するために、種々のコンピュータモデル試験方法のために入力として（すなわち、数式の変数項として）使用する。このモデルの試験法の計算に使用される分子記述子のラベルは、ｗｉｎＭｏｌｃｏｎｎプログラムによって報告されるのと同じラベルであり、その記載および定義は、ｗｉｎＭｏｌｃｏｎｎの書籍に列挙されるだろう。以下は、ｗｉｎＭｏｌｃｏｎｎソフトウエアプログラムをどのように実行し、組成物中の各ＰＲＭの必要な分子構造記述子を作成するのかについての一般的な記載である。
【０１３７】
ｗｉｎＭｏｌｃｏｎｎを用いた分子構造記述子の計算。
（１）ＭＡＣＣＳ  Ｓｔｒｕｃｔｕｒｅ−Ｄａｔａ  Ｆｉｌｅ（ＳＤＦファイルまたはＳＭＩＬＥＳファイルとも呼ばれる）の形態で、１つ以上の芳香成分の分子構造をアセンブリングする。
（２）バージョン１．０．１．３のｗｉｎＭｏｌｃｏｎｎプログラムを用い、適切なコンピュータで実施し、上述のＳＤＦファイルまたはＳＭＩＬＥＳファイルを入力として用い、このプログラムから入手可能な分子記述子全体を計算する。
ａ．ｗｉｎＭｏｌｃｏｎｎの出力は、ＡＳＣＩＩテキストファイルの形態であり、典型的には、スペース区切りされており、入力ファイルのそれぞれの構造について、第１の列に構造識別子を含み、残りの列にそれぞれの分子記述子を含んでいる。
（３）スプレッドシートソフトウエアプログラムまたはある種の他の適切な技術を用い、テキストファイルを列に分ける。分子記述子のラベルは、得られた表の第１列にみつかる。
（４）分子記述子のラベルによって特定され、それぞれのモデルに必要な入力に対応する記述子の列を発見し、抽出する。
ａ．ｗｉｎＭｏｌｃｏｎｎ分子記述子のラベルは、ケースセンシティブであることを注記しておく。
【０１３８】
ＭＯＲＶおよびＵｎｉｖｅｒｓａｌ  ＭＯＲＶの計算
１．）入力分子記述子の値は、以下の４つの式において、上の方法によって決定されるような値である。
ａ）ＭＯＲＶ＝−８．５０９６＋２．８５９７×（ｄｘｐ９）＋１．１２５３×（ｋｎｏｔｐｖ）−０．３４４８４×（ｅ１Ｃ２Ｏ２）−０．０００４６２３１×（ｉｄｗ）＋３．３５０９×（ｉｄｃｂａｒ）＋０．１１１５８×（ｎ２ｐａｇ２２）
ｂ）ＭＯＲＶ＝−５．２９１７＋２．１７４１×（ｄｘｖｐ５）−２．６５９５×（ｄｘｖｐ８）＋０．４５２９７×（ｅ１Ｃ２Ｃ２ｄ）−０．６２０２×（ｃ１Ｃ２Ｏ２）＋１．３５４２×（ＣｄＣＨ２）＋０．６８１０５×（ＣａａｓＣ）＋１．７１２９×（ｉｄｃｂａｒ）
ｃ）ＭＯＲＶ＝−０．００３５＋０．８０２８×（ＳＨＣｓａｔｕ）＋２．１６７３×（ｘｖｐ７）−１．３５０７×（ｃ１Ｃ１Ｃ３ｄ）＋０．６１４９６×（ｃ１Ｃ１Ｏ２）＋０．００４０３×（ｉｄｃ）−０．２３２８６×（ｎｄ２）
ｄ）ＭＯＲＶ＝−０．９９２６  −  ０．０３８８２×（ＳｄＯ）  ＋  ０．１８６９×（Ｓｓｐ３ＯＨ）＋２．１８４７×（ｘｐ７）＋０．３４３４４×（ｅ１Ｃ３Ｏ２）−０．４５７６７×（ｃ１Ｃ２Ｃ３）＋０．７６８４×（ＣＫｅｔｏｎｅ）
式（ａ）は、悪臭であるトランス−３−メチル−２−ヘキセン酸（カルボン酸系の悪臭）を減らすことにおける材料の有効性に関係する。
式（ｂ）は、悪臭であるトリメチルアミン（アミン系の悪臭）を減らすことにおける材料の有効性に関係する。
式（ｃ）は、悪臭である３−メルカプト−３−メチルヘキサン−１−オール（チオール系の悪臭）を減らすことにおける材料の有効性に関係する。
式（ｄ）は、悪臭であるスカトール（インドール系の悪臭）を減らすことにおける材料の有効性に関係する。
２．）本明細書の目的のために、材料のＭＯＲＶは、式（１）（ａ）〜（１）（ｄ）からの最も高いＭＯＲＶ値である。
３．）上の式（１）（ａ）〜（１）（ｄ）からのすべてのＭＯＲＶ値が０．５より大きい場合、その材料は、Ｕｎｉｖｅｒｓａｌ  ＭＯＲＶを有する。
【０１３９】
悪臭低減化合物にＦｒａｇｒａｎｃｅ  Ｆｉｄｅｌｉｔｙ  Ｉｎｄｅｘ（ＦＦＩ）およびＢｌｏｃｋｅｒ  Ｉｎｄｅｘ（ＢＩ）を割り当てるための方法
本発明の消費製品で使用するのに適したブロッカー材料は、香りの検知を妨害せずに悪臭を減らすという能力について選択される。材料の選択は、臭気の強さをランク付けするための２つの参照スケールから試験サンプル材料に２つの指数を割り当てることによって行われる。この２つの参照スケールは、Ｆｒａｇｒａｎｃｅ  Ｆｉｄｅｌｉｔｙ  Ｉｎｄｅｘ（ＦＦＩ）スケールとＢｌｏｃｋｅｒ  Ｉｎｄｅｘ（ＢＩ）スケールである。ＦＦＩは、試験サンプル材料が、別の香料と合わせたときに緩衝し得る検知可能な臭気を付与する能力をランク分けしており、ＢＩは、試験サンプル材料が悪臭の検知を減らす能力をランク分けしている。ＦＦＩおよびＢＩの参照スケールについて、試験サンプルに指数を割り当てるための２つの方法を以下に与える。
【０１４０】
試験サンプルにＦＦＩを割り当てるための方法
ＦＦＩ参照スケールについて、試験サンプルにＦＦＩを割り当てるための方法の第１の工程は、ＦＦＩ参照見本を作成することである。このスケールのための見本は、きれいな布地見本を既知の量の既知の濃度のエチルバニリン溶液で処理することによって作られる。この試験のための布地見本は、ＥＭＣからＰＣ５０／５０として注文される白いポリコットン編み地（１０センチメートル×１０センチメートル（４インチ×４インチ））の見本である。供給業者は、最初に見本を作成するように指示され、この作成は、香料を含まない洗剤で２回洗浄し、３回すすぐことを含む。
【０１４１】
ＦＦＩ参照見本の製造
５０％／５０％  ＥｔＯＨ／水を、２５ｐｐｍ、１２０ｐｐｍ、１０００ｐｐｍの濃度で希釈剤として用い、エチルバニリンの３種類の溶液を製造する。３種類の溶液１３μＬをそれぞれピペットできれいな見本の中央に置き、見本の中央部に直径約１ｃｍの溶液を得た。これにより、見本にピペットで置かれた溶液の濃度に基づき、３種類の異なる臭気レベルの官能スケールを作成する。換気フードの中で３０分間乾燥させた後、見本をアルミホイル箔で包み、処理した見本に臭気が混入するのを防ぐ。きれいな未処理の見本も、ＦＦＩスケールの臭気強度について、最も低い参照固定点として含まれる。ＦＦＩ参照スケール見本は、０．５〜１２時間以内に使用し、１２時間後には廃棄すべきである。グレーダーが試験サンプルを評価するとき、見本をスケール固定点として使用し、表７に示されるようなＦｒａｇｒａｎｃｅ  Ｆｉｄｅｌｉｔｙ  Ｉｎｄｅｘ（ＦＦＩ）を割り当てる。
【０１４２】
少なくとも４の香気判定者／専門的なグレーダーを使用し、ＦＦＩスケールにおいて、エチルバニリン見本をランク分けする。香気判定者／専門的なグレーダーは、スケールに対する十分な識別能力を示すことが必要である。香気判定者／専門的なグレーダーは、０〜３のスケールに従って、見本をランク分けする。表７に示されるように、パネルは、見本間に統計的な差を示さなければならない。
【０１４３】
【表１０】
2020000884.tif 000049
【０１４４】
専門的なグレーダーは、４つの見本のうち、２．５の全範囲で、許容範囲で識別しなければならない。表１のグレーダー２は、わずか２の範囲しかないため、パネルから除外する。専門的なグレーダーのパネルは、スケールの中で見本を統計学的に識別する能力も示さなければならない。
【０１４５】
【表１１】
2020000884.tif 000050
【０１４６】
参照見本は、ＦＦＩ参照スケールについて、０、１、２および３のＦＦＩを表す（表９）。専門的なグレーダーは、それぞれ、０（最も低い臭気強度）から開始し、３（最も高い臭気強度）で終わるように臭いをかぐことによって、ＦＦＩ参照見本の臭気の強度を自分で習得すべきである。試験サンプル材料によって見本が処理される前に、この作業を行うべきである。
【０１４７】
【表１２】
2020000884.tif 000051
【０１４８】
試験材料で処理された見本の製造
きれいな見本を１３μＬの既知の濃度の試験サンプル材料で処理し、きれいな見本の上に約１ｃｍの溶液を得る。参照見本と同様に、試験サンプル材料見本を換気フードの中で３０分間乾燥させ、次いで、汚染を防ぐためにアルミニウム箔で包む。試験材料見本およびＦＦＩ参照見本は、互いに２時間以内に製造すべきである。試験材料見本は、０．５〜１２時間以内に使用し、１２時間後には廃棄しなければならない。
【０１４９】
試験材料へのＦＦＩの割り当て
少なくとも２の香気判定者／専門的なグレーダーを用い、試験サンプルにＦＦＩグレードを割り当てる。香気判定者／専門的なグレーダーは、見本を、鼻の中央部を覆うように鼻から２．５センチメートル（１インチ）の位置に保持し、試験サンプルを布地の上にピペットで置くことによって試験サンプル見本の臭いをかぎ、次いで、ＦＦＩ参照スケール固定見本を参照として使用し、試験サンプルにＦＦＩグレードを割り当てる。試験サンプル見本に、表９に示されるＦＦＩスケールについて、ＦＦＩグレードまたはいくつかの数を割り当てる。試験サンプル材料が、３より大きなグレードに割り当てられる場合、その試験材料は、ブロッカー材料ではなく、または、低い濃度で悪臭ブロッカー機能を有するかどうかを決定するために、材料濃度を下げ、再評価する必要がある。
【０１５０】
試験サンプルにＢＩを割り当てるための方法
ＢＩ参照スケールについて、試験サンプルにＢＩを割り当てるための方法の第１の工程は、ＢＩ参照見本を作成することである。このスケールのための見本は、きれいな布地見本を既知の量の既知の濃度のイソ吉草酸溶液で処理することによって作られる。この試験のための布地見本は、ＥＭＣからＰＣ５０／５０として注文される白いポリコットン編み地（１０センチメートル×１０センチメートル（４インチ×４インチ））の見本である。供給業者は、最初に見本を作成するように指示され、この作成は、香料を含まない洗剤で２回洗浄し、３回すすぐことを含む。
【０１５１】
ＢＩ参照見本の製造
５０％／５０％のＥｔＯＨ／水を希釈剤として用い、０．０８％イソ吉草酸の１種類の溶液を製造する。ＢＩスケールは、悪臭を適用していない１つのきれいな見本を含む。３種類の他の見本は、それぞれ、異なる体積の０．０８％イソ吉草酸が適用される。１つのきれいな見本には、２μＬの０．０８％イソ吉草酸溶液をピペットで置き、次の見本には５μＬの０．０８％イソ吉草酸溶液をピペットで置き、最後のきれいな見本には、２０μＬのイソ吉草酸をピペットで置く。これらの溶液は、見本の中央部にピペットで置かれる。これにより、見本にピペットで置かれた０．０８％イソ吉草酸溶液の体積に基づき、３種類の異なる臭気レベルの官能スケールを作成する。換気フードの中で３０分間乾燥させた後、見本をアルミホイル箔で包み、処理した見本に臭気が混入するのを防ぐ。きれいな未処理の見本も、ＢＩスケールの臭気強度について、最も低い参照固定点として含まれる。ＢＩ参照スケール見本は、０．５〜１２時間以内に使用し、１２時間後には廃棄すべきである。グレーダーが試験サンプルを評価するとき、見本をスケール固定点として使用し、表１２に示されるようなＢｌｏｃｋｅｒ  Ｉｎｄｅｘ（ＢＩ）を割り当てる。
【０１５２】
少なくとも４の香気判定者／専門的なグレーダーを使用し、ＢＩスケールにおいて、イソ吉草酸見本をランク分けする。香気判定者／専門的なグレーダーは、スケールに対する十分な識別能力を示すことが必要である。香気判定者／専門的なグレーダーは、０〜３のスケールに従って、見本をランク分けする。表１０に示されるように、グレーダーのパネルは、見本間に統計的な差を示さなければならない。
【０１５３】
【表１３】
2020000884.tif 000052
【０１５４】
専門的なグレーダーは、４つの見本のうち、２．５の全範囲で、許容範囲で識別しなければならない。専門的なグレーダーのパネルは、スケールの中で見本を統計学的に識別する能力も示さなければならない。専門的なグレーダー２は、見本間を識別する能力を示さず、パネルから除外される（表１１を参照）。
【０１５５】
【表１４】
2020000884.tif 000053
【０１５６】
参照見本は、ＢＩ参照スケールについて、０、１、２および３のＢＩを表す（表１２）。専門的なグレーダーは、それぞれ、０（最も低い臭気強度）から開始し、３（最も高い臭気強度）で終わるように臭いをかぐことによって、ＢＩ参照見本の臭気の強度を自分で習得すべきである。このことは、試験材料で見本が処理される前に行われるべきである。
【０１５７】
【表１５】
2020000884.tif 000054
【０１５８】
悪臭見本を製造し、試験材料で処理
ＢＩを評価するために、試験材料を悪臭のする見本に適用し、試験材料の悪臭をどのようにブロックするかを決定する。悪臭のついた見本は、きれいな見本を２０μＬの０．０８％イソ吉草酸溶液で処理することによって作られる。イソ吉草酸で処理された悪臭のついた見本を換気フード中、３０分間乾燥させる。悪臭のついた見本を乾燥させた後、既知の濃度の試験材料溶液（１ｐｐｍ〜１００ｐｐｍ）を、悪臭のついた見本にピペットで置く。試験材料溶液を、イソ吉草酸溶液を適用し、直径約１ｃｍのスポットを作った場所の上から試験材料溶液を適用する。ＢＩ参照見本と同様に、イソ吉草酸＋試験材料見本を換気フードの中で３０分間乾燥させ、次いで、汚染を防ぐためにアルミニウム箔で包む。イソ吉草酸＋試験材料の見本およびＢＩ参照見本は、互いに２時間以内に製造すべきである。イソ吉草酸＋試験材料見本は、参照見本と同様に１〜１２時間で塩得しなければならない。ＢＩを決定するために、時には、試験材料を約１〜約１００ｐｐｍのいくつかのレベルで評価する必要がある。
【０１５９】
試験材料へのＢＩの割り当て
少なくとも２の香気判定者／専門的なグレーダーを用い、試験サンプルにＢＩグレードを割り当てる。専門的なグレーダーは、見本を、鼻の中央部を覆うように鼻から２．５センチメートル（１インチ）の位置に保持し、試験サンプルを布地の上にピペットで置くことによってイソ吉草酸／試験材料見本の臭いをかぎ、次いで、ＢＩ参照スケール固定見本を参照として使用し、イソ吉草酸／試験材料見本にＢＩグレードを割り当てる。試験サンプル見本に、表のＢＩスケールについて、ＢＩグレードまたはいくつかの数を割り当てる。イソ吉草酸＋試験材料見本の周囲がＢＩ参照スケールで３より大きい場合には、この材料がブロッカーではなく、ブロッカー機能を達成するために、試験材料の濃度を下げる必要があることを示す。
【０１６０】
【表１６】
2020000884.tif 000055
【０１６１】
低い濃度で優れた性能を有する悪臭制御化合物
悪臭制御化合物が、低い濃度で優れた悪臭制御を与えるという好ましい挙動の非限定例を以下にいくつか示す。これらの非限定的なデータは、悪臭がブロックされ、マスキングされているのではないさらなる匹敵するデータを与える。
【０１６２】
【表１７】
2020000884.tif 000056
【０１６３】
低い濃度での悪臭低減化合物の再試験
以下の実施例は、悪臭制御化合物が高濃度で臭気ブロッキング（ＢＩ＞２．５）を示すことができなかった場合に、もっと低い濃度で合格するかどうかを再試験すべきであることを示す。
【０１６４】
【表１８】
2020000884.tif 000057
【実施例】
【０１６５】
実施例１  悪臭低減化合物を含む組成物
本発明において、嗅覚によって気づくことができるようになる前に、ブレンドは、もっと割合が高い生成物の組成物で有用であるため、ブレンドは、もっと強力な悪臭低減を可能にする。以下は、悪臭低減化合物の非限定例である。
【０１６６】
【表１９】
2020000884.tif 000058
【０１６７】
実施例２  悪臭低減化合物を含む組成物
【０１６８】
【表２０】
2020000884.tif 000059
【０１６９】
実施例３  悪臭低減組成物
【０１７０】
【表２１】
2020000884.tif 000060
【０１７１】
実施例４  悪臭低減組成物
【０１７２】
【表２２】
2020000884.tif 000061
【０１７３】
実施例５  悪臭低減組成物
【０１７４】
【表２３】
2020000884.tif 000062
【０１７５】
実施例６  悪臭低減組成物
【０１７６】
【表２４】
2020000884.tif 000063
【０１７７】
実施例７  悪臭低減組成物
以下の悪臭低減悪臭低減組成物を、列挙した成分を合わせることによって製造する。すべての成分は、全悪臭低減組成物の重量パーセントである。
【０１７８】
【表２５】
2020000884.tif 000064
【０１７９】
実施例８  布地噴霧用の液体布地清浄組成物
悪臭低減組成物を含有する、布地清浄組成物として使用するための液体組成物の例
【０１８０】
【表２６】
2020000884.tif 000065
【０１８１】
得られる布地用洗浄噴霧製品は、布地表面を処理するために使用したとき、処理された表面の悪臭を減らすのに効果的である。この実施例の組成物について、上述のＦＦＩおよびＢＩを試験した。結果を以下に示す。
【０１８２】
【表２７】
2020000884.tif 000066
【０１８３】
実施例９  布地噴霧組成物
実施例４に示される組成物を利用して、悪臭低減組成物を用いて布地清浄噴霧組成物を調製する。
【０１８４】
【表２８】
2020000884.tif 000067
【０１８５】
実施例９の組成物は、悪臭低減組成物に加え、臭気に与える影響が小さな香料を含む。以下に示すデータは、ブロッキング材料を用い、臭気に与える影響が小さいまま維持されている。
【０１８６】
【表２９】
2020000884.tif 000068
【０１８７】
本明細書で開示する寸法および値は、列挙された正確な数値に厳密に限られるとして理解されるべきではない。むしろ、特に断らない限り、そのような各寸法は、記載された値およびその値の周辺の機能的に同等の範囲の両方を意味するものとする。例えば、「４０ｍｍ」として開示される寸法は、「約４０ｍｍ」を意味することを意図する。
【０１８８】
あらゆる相互参照または関連特許、または関連出願を含む、本明細書に引用される全ての文献は、明確に除外ないしは別の方法で限定されない限り、参照によりその全体が本明細書に組み込まれる。いずれの文献の引用も、その文献が本願で開示または特許請求される全ての発明に対する先行技術であることを認めるものではなく、またはその文献が単独で、あるいは任意のその他の参照文献との任意の組み合わせにおいて、かかる発明のいずれかを参照、教示、示唆または開示することを認めるものでもない。さらに、本文書における用語の任意の意味または定義が、参照することによって組み込まれた文書内の同じ用語の意味または定義と競合する程度に、本文書におけるその用語に与えられた意味または定義が適用されるものとする。
【０１８９】
以上、本発明の特定の諸実施形態を図示、説明したが、本発明の趣旨および範囲から逸脱することなく他の様々な変更および改変を行いうる点は当業者には自明であろう。したがって、本発明の範囲内にあるそのような全ての変更および修正が、添付の特許請求の範囲に網羅されるものとする。
【外国語明細書】
2020000884000001.pdf